(57)【要約】【課題】外部の情報提示システムと連携して、情報を時間軸に関連付けて記録および閲覧可能とする。【解決手段】受け付けられた操作に応じて生成された第１コンテンツを取得して、取得された時刻と関連付けてコンテンツ記憶部に記憶する。通信により外部の機器から入力された第２コンテンツを取得して、取得された時刻と関連付けてコンテンツ記憶部に記憶する。時間軸の表示を互いに共有する、重複しない第１表示領域と第２表示領域とを表示部に表示させ、コンテンツ記憶部に記憶される第１コンテンツを、第１表示領域の、第１コンテンツに関連付けられた時刻を示す時間軸上の位置に表示し、コンテンツ記憶部に記憶される第２コンテンツを、第２表示領域の、第２コンテンツに関連付けられた時刻を示す時間軸上の位置に表示させる。【選択図】図２７
2014219807.tif 000002
【特許請求の範囲】
【請求項１】
ユーザ操作を受け付ける操作ステップと、
外部の機器と通信を行う第１通信ステップと、
前記操作ステップに受け付けられた操作に応じて生成された第１コンテンツを取得する第１コンテンツ取得ステップと、
前記第１通信ステップによる通信で前記外部の機器から入力された第２コンテンツを取得する第２コンテンツ取得ステップと、
前記第１コンテンツおよび前記第２コンテンツを、それぞれ取得された時刻と関連付けてコンテンツ記憶部に記憶する記憶ステップと、
時間軸と、互いに重複しない第１表示領域および第２表示領域とを表示部に表示させ、前記コンテンツ記憶部に記憶される前記第１コンテンツを、該第１表示領域の、該第１コンテンツに関連付けられた時刻を示す前記時間軸上の位置に表示し、前記コンテンツ記憶部に記憶される前記第２コンテンツを、該第２表示領域の、該第２コンテンツに関連付けられた時刻を示す前記時間軸上の位置に表示させる表示ステップと
をコンピュータに実行させるための情報処理プログラム。
【請求項２】
前記表示ステップは、
前記操作ステップに受け付けられた操作に応じて、前記第１表示領域の幅と前記第２表示領域の幅との比率を変更する
ことを特徴とする請求項１に記載の情報処理プログラム。
【請求項３】
前記第２コンテンツ取得ステップは、
ページ単位で構成され、１以上のページを含む画像データである前記第２コンテンツを取得し、さらに、前記第１通信ステップによる通信で、前記外部の機器に対してなされた前記ページの操作を示すページ操作情報を取得し、
前記記憶ステップは、
前記ページ操作情報を取得した時刻を、前記第２コンテンツと関連付けて前記コンテンツ記憶部に記憶する
ことを特徴とする請求項１または請求項２に記載の情報処理プログラム。
【請求項４】
前記表示ステップは、
前記第２コンテンツの各ページを、該各ページの前記ページ操作情報にそれぞれ対応する前記時間軸上の位置に表示させる
ことを特徴とする請求項３に記載の情報処理プログラム。
【請求項５】
前記操作ステップに受け付けられた操作に応じてパスコードを入力するパスコード入力ステップをさらに有し、
前記記憶ステップは、
前記第１コンテンツおよび前記第２コンテンツのうち少なくとも該第２コンテンツを前記パスコードを用いて暗号化して前記コンテンツ記憶部に記憶する
ことを特徴とする請求項１乃至請求項４の何れか１項に記載の情報処理プログラム。
【請求項６】
ネットワークを介して通信を行う第２通信ステップをさらに有し、
前記第２通信ステップは、
前記コンテンツ記憶部に記憶される前記第１コンテンツおよび前記第２コンテンツを第１サーバに送信し、
前記第１サーバに送信された前記第１コンテンツおよび前記第２コンテンツの前記ネットワーク上での位置を示す情報を、時刻情報と関連付けて第２サーバに送信する
ことを特徴とする請求項１乃至請求項５の何れか１項に記載の情報処理プログラム。
【請求項７】
ネットワークを介して通信を行う第２通信ステップをさらに有し、
前記第２コンテンツ取得ステップは、
前記第２通信ステップの通信により、前記外部の機器が接続されるサーバから前記第２コンテンツを取得する
ことを特徴とする請求項１乃至請求項５の何れか１項に記載の情報処理プログラム。
【請求項８】
前記表示ステップは、
前記操作ステップが受け付けた、前記時間軸に沿った操作に応じて、前記時間軸のスケールの変更を行う
ことを特徴とする請求項１乃至請求項７の何れか１項に記載の情報処理プログラム。
【請求項９】
音声を取得する音声取得ステップをさらに有し、
前記記憶ステップは、
前記音声取得ステップで取得された前記音声を、取得の開始時刻および終了時刻と関連付けて記憶する
ことを特徴とする請求項１乃至請求項８の何れか１項に記載の情報処理プログラム。
【請求項１０】
ユーザ操作を受け付ける操作部と、
外部の機器と通信を行う通信部と、
前記操作部に対する操作に応じて入力された第１コンテンツを取得する第１コンテンツ取得部と、
前記通信部の通信により前記外部の機器から入力された第２コンテンツを取得する第２コンテンツ取得部と、
前記第１コンテンツおよび前記第２コンテンツを、それぞれ取得された時刻と関連付けて記憶するコンテンツ記憶部と、
時間軸と、互いに重複しない第１表示領域および第２表示領域とを備える表示部と
を有し、
前記表示部は、
前記コンテンツ記憶部に記憶される前記第１コンテンツを、前記第１表示領域の、該第１コンテンツに関連付けられた時刻を示す前記時間軸上の位置に表示し、前記コンテンツ記憶部に記憶される前記第２コンテンツを、前記第２表示領域の、該第２コンテンツに関連付けられた時刻を示す前記時間軸上の位置に表示する
ことを特徴とする情報処理装置。
【請求項１１】
それぞれ取得した時刻と関連付けられて記憶部に記憶された、操作部に対するユーザ操作に応じた入力により取得された第１コンテンツと、通信部の通信により外部の機器からの入力により取得された第２コンテンツとを表示部に表示させる表示方法をコンピュータに実行させるための表示制御プログラムであって、
時間軸と、互いに重複しない第１表示領域および第２表示領域とを形成する表示領域制御ステップと、
前記第１コンテンツを、前記第１領域の、該第１コンテンツに関連付けられた時刻を示す前記時間軸上の位置に表示し、前記第２記憶コンテンツを、前記第２表示領域の、該第２コンテンツに関連付けられた時刻を示す前記時間軸上の位置に表示する表示制御ステップと
をコンピュータに実行させるための表示制御プログラム。
【請求項１２】
前記操作部と前記表示部とは一体に構成され、該操作部の操作位置に対応する該表示部の表示と、該操作部に対する操作とを検出する検出ステップをさらに有し、
前記表示制御ステップは、
前記検出ステップに検出された操作に応じて、前記第１表示領域の幅と前記第２表示領域の幅との比率を変更する
ことを特徴とする請求項１１に記載の表示制御プログラム。
【請求項１３】
前記表示制御ステップは、
前記検出ステップにより、前記操作部に対して、前記第１表示領域と前記第２表示領域の境界の位置から該境界の方向とは異なる方向に向けたフリック操作およびスワイプ操作のうち一方の操作が検出された場合に、該操作に応じて前記異なる方向に前記境界を移動させる
ことを特徴とする請求項１２に記載の表示制御プログラム。
【請求項１４】
前記表示制御ステップは、
前記検出ステップにより、前記操作部に対して、前記時間軸に沿ったピンチイン操作およびピンチアウト操作のうち一方の操作が検出された場合に、該操作に応じて該時間軸のスケールの変更を行う
ことを特徴とする請求項１２または請求項１３に記載の表示制御プログラム。
【請求項１５】
前記記憶部は、操作部に対するユーザ操作に応じた入力により取得した音声を、取得の開始時刻および終了時刻と関連付けて記憶し、
前記時間軸上での前記音声の有無を、前記開始時刻および前記終了時刻に従い前記第１表示領域および前記第２表示領域の境界に表示する音声表示ステップと、
前記音声の再生を制御するための音声操作部を、前記境界に表示させる音声操作部表示ステップと
をさらに有する
ことを特徴とする請求項１１乃至請求項１４の何れか１項に記載の表示制御プログラム。
【発明の詳細な説明】
【技術分野】
【０００１】
本発明は、複数の情報を時間軸に関連付けて記録および閲覧するために用いて好適な情報処理プログラムおよび情報処理装置、ならびに、表示制御プログラムに関する。
【背景技術】
【０００２】
会議などにおいて、一般的には、印刷された資料やプロジェクタ装置に投射された資料画像、ホワイトボードなどへの板書などを用い、複数の参加者が討論を行う。各参加者は、資料画像や板書の内容を撮影して画像データとして取得したり、討論の内容を録音して音声データとして取得して会議を記録し、個人の活動の時間軸を伴った情報として残すことができる。また、各参加者は、必要に応じて、コンピュータ入力によりメモを残すこともできる。さらに、会議の様子を録画して、個人の活動を記録することもできる。
【０００３】
会議の記録を閲覧する場合、各情報の時間軸に対する整合性が重要となる。すなわち、記録に残された各情報の因果関係を明確にすることで、会議の内容をより正確に把握することが可能となる。このような、会議に関連する各コンテンツを時間軸に関連付けて統合的に管理する会議記録システムが開発されている。
【０００４】
例えば、特許文献１には、コンピュータを用いて録音や録画を行い、録音や録画の最中に当該コンピュータから入力されたメモデータを、録音や録画の経過時間に関連付けて記録する議事録作成再生装置が記載されている。また例えば、特許文献２は、音声や板書、個人メモといったコンテンツと、コンテンツの記録時間とを関連付けて議事データとして登録し、議事データを、会議シーンを記録したビデオデータと関連付けて管理する会議支援システムが記載されている。
【発明の概要】
【発明が解決しようとする課題】
【０００５】
ところで、近年では、タブレット型コンピュータおよびタブレット型コンピュータを用いた無線通信の普及により、資料を画像データで保持し、各参加者が、タブレット型コンピュータにより互いに画像データを共有して資料を提示する、ペーパーレス会議システムといった情報提示システムも実用化されている。このような情報提示システムによる提示資料なども、上述した音声データや画像データと同様にして扱えることが望まれる。
【０００６】
しかしながら、上述した従来技術では、このような、外部の情報提示システムとの連携に関しては考慮されていないという問題点があった。
【０００７】
本発明は、上記を鑑みてなされたもので、外部の情報提示システムと連携して、情報を時間軸に関連付けて記録および閲覧可能とすることを目的とする。
【課題を解決するための手段】
【０００８】
上述した課題を解決し、目的を達成するために、第１の発明は、ユーザ操作を受け付ける操作ステップと、外部の機器と通信を行う第１通信ステップと、操作ステップに受け付けられた操作に応じて生成された第１コンテンツを取得する第１コンテンツ取得ステップと、第１通信ステップによる通信で外部の機器から入力された第２コンテンツを取得する第２コンテンツ取得ステップと、第１コンテンツおよび第２コンテンツを、それぞれ取得された時刻と関連付けてコンテンツ記憶部に記憶する記憶ステップと、時間軸と、互いに重複しない第１表示領域および第２表示領域とを表示部に表示させ、コンテンツ記憶部に記憶される第１コンテンツを、第１表示領域の、第１コンテンツに関連付けられた時刻を示す時間軸上の位置に表示し、コンテンツ記憶部に記憶される第２コンテンツを、第２表示領域の、第２コンテンツに関連付けられた時刻を示す時間軸上の位置に表示させる表示ステップとをコンピュータに実行させることを特徴とする。
【０００９】
また、第２の発明は、それぞれ取得した時刻と関連付けられて記憶部に記憶された、操作部に対するユーザ操作に応じた入力により取得された第１コンテンツと、通信部の通信により外部の機器からの入力により取得された第２コンテンツとを表示部に表示させる表示方法をコンピュータに実行させるための表示制御プログラムであって、時間軸と、互いに重複しない第１表示領域と第２表示領域とを形成する表示領域制御ステップと、第１コンテンツを、第１領域の、第１コンテンツに関連付けられた時刻を示す時間軸上の位置に表示し、第２コンテンツを、第２表示領域の、第２コンテンツに関連付けられた時刻を示す時間軸上の位置に表示する表示制御ステップとをコンピュータに実行させることを特徴とする。
【発明の効果】
【００１０】
本発明によれば、外部の情報提示システムと連携して、情報を時間軸に関連付けて記録および閲覧可能となるという効果を奏する。
【図面の簡単な説明】
【００１１】
【図１】図１は、第１の実施形態に係る情報処理システムの構成を概略的に示す図である。
【図２】図２は、第１の実施形態に係る多機能携帯端末のハードウェアの一例の構成を示すブロック図である。
【図３】図３は、第１の実施形態に係る多機能携帯端末の機能を示す一例の機能ブロック図である。
【図４】図４は、第１の実施形態に係る、ログ情報を定義するためのミーティングリストテーブルにおけるレコードの例を示す図である。
【図５】図５は、第１の実施形態に係る、ミーティングリストテーブルのミーティングＩＤにより関連付けられる、他のテーブルの例を示す図である。
【図６】図６は、第１の実施形態に係るＧＵＩ部の機能を示す一例の機能ブロック図である。
【図７】図７は、第１の実施形態に係る、ペーパーレス会議システム端末の機能を示す一例の機能ブロック図である。
【図８】図８は、第１の実施形態に係る多機能携帯端末における記録動作による画面の遷移の例を概略的に示す図である。
【図９】図９は、第１の実施形態に係る初期画面の例を示す図である。
【図１０】図１０は、第１の実施形態に係る記録動作の画面の例を示す図である。
【図１１】図１１は、第１の実施形態に係る記録動作の画面の例を示す図である。
【図１２】図１２は、第１の実施形態に係る記録動作の画面の例を示す図である。
【図１３】図１３は、第１の実施形態に係る記録動作の画面の例を示す図である。
【図１４】図１４は、第１の実施形態に係る記録動作の画面の例を示す図である。
【図１５】図１５は、第１の実施形態に係る記録動作の画面の例を示す図である。
【図１６】図１６は、第１の実施形態に係る、ペーパーレス会議システムとの連携動作における画面の例を示す図である。
【図１７】図１７は、第１の実施形態に係る、パスコード入力を行うための画面の例を示す図である。
【図１８】図１８は、第１の実施形態に係る、会議連携処理の例を示すフローチャートである。
【図１９】図１９は、第１の実施形態に係る、ペーパーレス会議システム端末に現在表示されている画像の画像データの表示の例を示す図である。
【図２０】図２０は、第１の実施形態に係る、ペーパーレス会議システムとの連携を他の機能と同時に行った場合の表示の例を示す図である。
【図２１】図２１は、第１の実施形態に係るチェックイン時の表示の例を示す図である。
【図２２】図２２は、イベント情報が一覧表示された画面の例を示す図である。
【図２３】図２３は、第１の実施形態に係る、パスコード入力を行うための画面の例を示す図である。
【図２４】図２４は、第１の実施形態に係る、ログ情報の共有を行う際の画面の例を示す図である。
【図２５】図２５は、第１の実施形態に係る、ログ情報の共有を行う際の画面の例を示す図である。
【図２６】図２６は、第１の実施形態に係る、ログ情報の削除を行う画面の例を示す図である。
【図２７】図２７は、第１の実施形態に係るログ情報閲覧画面について説明するための図である。
【図２８】図２８は、第１の実施形態に係るログ情報閲覧画面について説明するための図である。
【図２９】図２９は、第１の実施形態に係るログ情報閲覧画面について説明するための図である。
【図３０】図３０は、第１の実施形態に係るログ情報閲覧画面について説明するための図である。
【図３１】図３１は、第１の実施形態に係るログ情報閲覧画面について説明するための図である。
【図３２】図３２は、第１の実施形態に係るログ情報閲覧画面について説明するための図である。
【図３３】図３３は、第２の実施形態に係る情報処理システムの一例の構成を概略的に示す図である。
【図３４】図３４は、第３の実施形態に係る情報処理システムの一例の構成を概略的に示す図である。
【発明を実施するための形態】
【００１２】
以下に添付図面を参照して、情報処理プログラムおよび情報処理装置、ならびに、表示制御プログラムの実施形態を詳細に説明する。
【００１３】
（第１の実施形態）
図１は、第１の実施形態に係る情報処理システムの構成を概略的に示す。第１の実施形態に係る情報処理システムは、情報処理装置としての多機能携帯端末１０と、ペーパーレス会議システム２０とを含んで構成される。ペーパーレス会議システム２０は、複数のペーパーレス会議システム端末２１Ａおよび２１Ｂ間で画像データおよび画像データに対する操作情報（ページ操作情報）を共有するようになっている。
【００１４】
第１の実施形態に係る多機能携帯端末１０は、ユーザの所定の入力操作により取得された画像データ、テキストデータ、現在位置情報、音声データなどの各データを、各データが取得された時刻を示す時刻情報と関連付けて記憶する。多機能携帯端末１０は、ユーザの一連の行動に伴い時刻情報と関連付けて記憶した各データをひと纏まりのログ情報として登録する。また、多機能携帯端末１０は、外部の機器である例えばペーパーレス会議システム端末２１Ａから送信された画像データと、当該画像データに対する操作情報とを取得して、ペーパーレス会議システム２０との間で画像データと操作情報とを共有することができる。そして、多機能携帯端末１０は、ペーパーレス会議システム２０から取得した操作情報を、当該操作情報を取得した時刻を示す時刻情報と関連付けて、ログ情報に含めて登録することができる。
【００１５】
ユーザは、多機能携帯端末１０に登録されたログ情報を時間軸に沿って閲覧することで、自己の一連の行動を容易に再現することができる。また、各データを時間軸に沿って表示させることで、各データの関係を容易に把握することができる。
【００１６】
（多機能携帯端末）
先ず、第１の実施形態に係る多機能携帯端末１０について説明する。多機能携帯端末１０は、例えばスマートフォンやタブレット型コンピュータであって、マイクロフォン、スピーカおよびカメラを備えると共に、通信機能を備え、電話通信、音声の録音および再生、撮影による画像の取得、ならびに、データ通信など複数の機能を実行可能とされている。なお、多機能携帯端末１０は、これに限らず、パーソナルコンピュータといった他の情報処理装置でもよい。
【００１７】
また、多機能携帯端末１０は、ＧＰＳ(Global  Positioning  System)による信号を受信する機能を有し、ＧＰＳを利用して現在の位置を示す現在位置情報を取得することができる。以降、ＧＰＳを利用して現在位置情報を取得する機能を、ＧＰＳ機能と呼ぶ。
【００１８】
多機能携帯端末１０は、さらにタッチパネル１１を備える。タッチパネル１１は、表示部と、接触による入力操作が可能とされた入力部とが一体的に構成されたものであって、表示と接触位置とを連動させることで、ＧＵＩ(Graphical  User  Interface)を構成する。
【００１９】
タッチパネル１１に対する入力操作方法として、タップ、長押し、スワイプ、フリックおよびピンチを定義する。タップは、タッチパネル１１に短時間接触する操作であって、所定範囲の時間間隔で接触する回数により、シングルタップ、ダブルタップ、トリプルタップといったように、操作を分けることができる。長押しは、タッチパネル１１の同一箇所に対する接触状態を所定時間以上継続させる操作である。スワイプは、タッチパネル１１に接触したまま接触位置を移動させる操作であって、換言すれば、タッチパネル１１を撫でる操作である。フリックは、タップした後、素早くスワイプさせる操作である。ピンチは、タッチパネル１１上の２点を同時に接触し、接触したまま２点のうち少なくとも一方の接触位置を移動させる操作である。２点間の距離を縮める操作をピンチイン、２点間の距離を広げる操作をピンチアウトと呼ぶ。
【００２０】
多機能携帯端末１０は、タッチパネル１１に対する入力操作に応じて、画像データ、テキストデータおよび音声データを取得することができる。画像データおよびテキストデータは、時間軸上の１の時刻で示されるコンテンツであって、多機能携帯端末１０は、画像データおよびテキストデータを、取得した時刻を示す時刻情報と関連付けて記憶する。多機能携帯端末１０は、さらに、１の時刻を示すタグデータを、時刻を示す時刻情報と関連付けて記憶することができる。
【００２１】
音声データは、開始時刻および終了時刻による、時間軸上の２の時刻で示される。多機能携帯端末１０は、音声データを、取得を開始および終了した開始時刻および終了時刻をそれぞれ示す時刻情報と関連付けて記憶する。
【００２２】
また、多機能携帯端末１０は、ＧＰＳ機能により取得した現在位置情報を、取得した時刻を示す時刻情報と関連付けて記憶する。
【００２３】
多機能携帯端末１０は、一連の入力操作により取得された画像データ、テキストデータ、現在位置情報および音声データの各データを、イベント情報として記憶することができる。イベント情報は、例えば、各データを示す情報と、各データに関連付けられる時刻情報とが１のイベント識別子に関連付けられて、例えば多機能携帯端末１０に搭載されるカレンダアプリケーションに登録される。
【００２４】
多機能携帯端末１０は、イベント情報として記憶された各データを、関連付けられた時刻情報に従い、時間軸上に時系列で並べてタッチパネル１１の表示部に表示させることができる。多機能携帯端末１０は、タッチパネル１１に対する所定の操作に応じて、時間軸に対するスケールの変更、時間軸が示す時間範囲の移動、音声データの再生制御（再生／停止）、画像データの拡大／縮小、テキストデータの表示、現在位置情報に基づくマップ画像の表示などの動作を実行する。
【００２５】
図２は、多機能携帯端末１０のハードウェアの一例の構成を示す。なお、図２において、多機能携帯端末１０が含む電話機能に関する構成は、第１の実施形態の主旨との関わりが薄いため、説明を省略する。
【００２６】
図２に例示される多機能携帯端末１０において、バス４０１に対してＣＰＵ４０２、ＲＯＭ４０３、ＲＡＭ４０４および表示制御部４０５が接続される。また、バス４０１に対して、ストレージ４０７、データＩ／Ｆ４０８、入力部４０９、通信部４１０、撮像部４１１、録音部４１２、音声処理部４１３およびＧＰＳ受信部４１５が接続される。ストレージ４０７は、データを不揮発に記憶することが可能な記憶媒体であって、例えばフラッシュメモリなどの不揮発性の半導体メモリである。これに限らず、ストレージ４０７としてハードディスクドライブを用いてもよい。
【００２７】
ＣＰＵ４０２は、ＲＯＭ４０３およびストレージ４０７に記憶されるプログラムに従い、ＲＡＭ４０４をワークメモリとして用いて、この多機能携帯端末１０の全体を制御する。表示制御部４０５は、ＣＰＵ４０２により生成された表示制御信号を、表示部４０６が表示可能な信号に変換して出力する。
【００２８】
ストレージ４０７は、上述のＣＰＵ４０２が実行するためのプログラムや各種データが格納される。なお、ストレージ４０７およびＲＯＭ４０３は、例えば１の書き換え可能な不揮発性半導体メモリなどを共用してもよい。データＩ／Ｆ４０８は、外部機器との間でデータの入出力を行う。データＩ／Ｆ４０８としては、Ｂｌｕｅｔｏｏｔｈ（登録商標）といった近距離無線通信によるインタフェースを適用することができる。
【００２９】
表示制御部４０５は、ＣＰＵ４０２により生成された表示制御信号に基づき表示部４０６を駆動する。表示部４０６は、例えばＬＣＤ(Liquid  Crystal  Display)を含み、表示制御部４０５により駆動されて表示制御信号に応じた表示を行う。
【００３０】
入力部４０９は、ユーザ入力を受け付ける入力デバイスを含む。ユーザは、例えば表示部４０６に対する表示に応じて入力デバイスを操作することで、携帯端末装置４０に対して指示を出すことができる。入力部４０９および表示部４０６は、一体的に形成され、タッチパネル１１として構成される。
【００３１】
通信部４１０は、ＣＰＵ４０２の制御に従いネットワークを介した通信を無線通信により行う通信Ｉ／Ｆを含む。
【００３２】
撮像部４１１は、光学系と、撮像素子と、光学系および撮像素子の制御駆動回路とを備え、撮像素子から出力される撮像信号に所定の処理を施して画像データとして出力する。撮像部４１１は、入力部４０９に対するユーザ操作による指示に従い、撮像やズームなどの機能を実行する。撮像部４１１から出力された画像データは、バス４０１を介してＣＰＵ４０２に送られ、プログラムに従い所定の画像処理を施され、ストレージ４０７に記憶される。
【００３３】
録音部４１２は、音声取得部としてのマイクロフォンを備え、マイクロフォンから出力されたアナログ音声信号をディジタル信号による音声データに変換して出力する。音声処理部４１３は、録音部４１２から出力された音声データに所定の音声処理を施してストレージ４０７に記憶する。音声処理部４１３に対して例えばスピーカである音声出力部４１４が接続される。音声処理部４１３は、例えばストレージ４０７から音声データを読み出してアナログ音声信号に変換して増幅処理などを施し、音声出力部４１４に供給する。音声出力部４１４は、供給されたアナログ音声信号を音声に変換して出力する。
【００３４】
ＧＰＳ受信部４１５は、ＧＰＳ機能を実行する。すなわち、ＧＰＳ受信部４１５は、複数のＧＰＳ衛星から送信された信号を受信して測位を行い、現在位置を示す位置情報を取得する。
【００３５】
図３は、第１の実施形態に係る多機能携帯端末１０の機能を示す一例の機能ブロック図である。多機能携帯端末１０は、全体制御部１００と、音声取得部１０１と、第１コンテンツ取得部１０２と、第２コンテンツ取得部１０３と、音声再生制御部１０４と、ＧＵＩ部１０５と、イベント登録部１０６と、ＧＰＳ取得部１０７と、テーブル保持部１０８と、データ保持部１０９とを有する。全体制御部１００は、例えば、ＣＰＵ４０２の、プログラムに従った動作により多機能携帯端末１０の全体の動作を制御する。
【００３６】
ＧＵＩ部１０５は、全体制御部１００の命令に従い、表示部４０６に表示される表示画面を生成する。また、ＧＵＩ部１０５は、入力部４０９に対して入力操作がなされた表示画面上の位置と、当該入力操作の方法を検出する。すなわち、ＧＵＩ部１０５は、入力操作が上述したタップ（シングルタップ、ダブルタップなど）、長押し、スワイプ、フリック、ピンチ（ピンチインおよびピンチアウト）の何れの方法で、表示部４０６上のどの位置でなされたかを検出する。ＧＵＩ部１０５は、検出された操作方法および操作位置を示す情報を全体制御部１００に渡す。全体制御部１００は、ＧＵＩ部１０５に表示させた表示画面と、ＧＵＩ部１０５から渡された操作方法および位置を示す情報とに従い、対応する機能を実行させるための命令を出力する。
【００３７】
テーブル保持部１０８は、多機能携帯端末１０で取得した各データの属性情報を格納するテーブルをストレージ４０７に記憶させ保持する。データ保持部１０９は、多機能携帯端末１０で取得した各データの本体を、各データを識別する識別情報と関連付けてストレージ４０７に記憶させ保持する。
【００３８】
音声取得部１０１は、録音部４１２を制御し、録音部４１２から出力された音声データを取得し、取得した音声データに、当該音声データを識別する識別情報を付加してデータ保持部１０９に渡すと共に、当該音声データの属性情報をテーブル保持部１０８に渡す。属性情報は、音声データの取得を開始した開始時刻を示す時刻情報と、終了した終了時刻を示す時刻情報とを含む。
【００３９】
第１コンテンツ取得部１０２は、多機能携帯端末１０の内部で生成され、１の時刻で示されるコンテンツを第１コンテンツとして取得する。そして、第１コンテンツ取得部１０２は、当該第１コンテンツを識別する識別情報を付加してデータ保持部１０９に渡すと共に、当該第１コンテンツの属性情報をテーブル保持部１０８に渡す。属性情報は、第１コンテンツを取得した時刻を示す時刻情報を含む。また、第１コンテンツ取得部１０２が取得する第１コンテンツは、入力部４０９に対する入力操作で入力されたテキストデータおよびタグデータと、撮像部４１１で被写体を撮像して生成された画像データとを含む。
【００４０】
第２コンテンツ取得部１０３は、外部の機器としてのペーパーレス会議システム端末２１Ａから送信された画像データを取得し、取得した画像データに、当該画像データを識別する識別情報を付加して第２コンテンツとしてデータ保持部１０９に渡すと共に、当該画像データの属性情報をテーブル保持部１０８に格納する。属性情報は、第２コンテンツを取得した時刻を示す時刻情報を含む。
【００４１】
また、第２コンテンツ取得部１０３は、ペーパーレス会議システム端末２１Ａから送信されたページ操作情報を取得する。ページ操作情報は、データ保持部１０９に渡され、取得された時刻を示す時刻情報と、第２コンテンツとしての画像データとに関連付けられてストレージ４０７に記憶される。
【００４２】
音声再生制御部１０４は、データ保持部１０９に保持された音声データの再生を制御する。すなわち、音声再生制御部１０４は、ＧＵＩ部１０５の命令に従い、データ保持部１０９に保持された音声データのうち当該命令に応じた音声データを選択し、選択した音声データの再生および再生停止を制御する。
【００４３】
イベント登録部１０６は、音声取得部１０１、第１コンテンツ取得部１０２および第２コンテンツ取得部１０３による一連のデータ取得動作の登録処理を行う。イベント登録部１０６は、当該一連のデータ取得動作を、例えば、多機能携帯端末１０が搭載するカレンダアプリケーションにおける１のイベントとして登録する。
【００４４】
ＧＰＳ取得部１０７は、ＧＰＳ機能が起動されると、ＧＰＳ受信部４１５を制御して緯度および経度情報を取得する。緯度および経度情報は、取得された時刻を示す時刻情報と関連付けて、テーブル保持部１０８に保持される。
【００４５】
テーブル保持部１０８に保持されるテーブルについて説明する。第１の実施形態では、テーブル保持部１０８は、ミーティングリストテーブルと、イベントテーブルと、ＧＰＳトレーステーブルと、ペーパーレス会議システムテーブルと、キャプチャテーブルと、サウンドテーブルと、メモテーブルとが保持される。
【００４６】
図４は、第１の実施形態に係る、ログ情報を定義するためのミーティングリストテーブルにおけるレコードの例を示す。ミーティングリストテーブルは、属性情報として、終了時刻と、開始時刻と、タイトルと、ミーティングＩＤとを含む。ミーティングＩＤは、ミーティングリストテーブル内でレコードを識別する識別情報であって、各ログ情報を識別する。タイトルは、ミーティングＩＤで識別されるログ情報に付されたタイトルである。終了時刻および開始時刻は、ミーティングＩＤで識別されるログ情報の終了時刻および開始時刻である。
【００４７】
図５は、第１の実施形態に係る、ミーティングリストテーブルのミーティングＩＤにより関連付けられる、他のテーブルの例を示す。図５（ａ）は、イベントテーブルにおけるレコードの例を示す。イベントテーブルは、イベントをカレンダアプリケーションに登録する際の、イベントの属性情報が格納される。イベントテーブルのレコードは、クリエータと、終了時刻と、イベントＩＤと、ミーティングＩＤと、ノート情報と、開始時刻と、タイトルと、識別情報とを含む。クリエータは、イベントを作成したユーザの例えば名前であり、例えば多機能携帯端末１０のユーザ名である。終了時刻は、イベントの終了時刻である。イベントＩＤは、登録先のカレンダアプリケーションにおいて当該イベントを識別するための識別情報である。ミーティングＩＤは、イベントを識別するための識別情報であって、図４のミーティングリストテーブルにおけるミーティングＩＤと対応する。ノート情報は、任意のメモ情報である。開始時刻は、イベントの開始時刻である。この開始時刻および上述の終了時刻は、ミーティングリストテーブルにおける開始時刻および終了時刻と同一であってよい。タイトルは、イベントのタイトルである。識別情報は、イベントテーブル内でレコードを識別するための識別情報である。
【００４８】
図５（ｂ）は、ＧＰＳトレーステーブルにおけるレコードの例を示す。ＧＰＳトレーステーブルは、ＧＰＳ取得部１０７がＧＵＩ部１０５の命令に従い緯度および経度情報を取得した際の属性情報が格納される。ＧＰＳトレーステーブルのレコードは、キャプチャ時刻と、クリエータと、最新キャプチャ時刻と、緯度と、経度と、ミーティングＩＤと、識別情報とを含む。キャプチャ時刻は、ＧＵＩ部１０５に対する入力操作によりＧＰＳ取得部１０７が緯度および経度情報の取得を開始した時刻を示す時刻情報である。クリエータは、多機能携帯端末１０のユーザ名である。最新キャプチャ時刻は、ＧＰＳ取得部１０７が緯度および経度情報を取得した最新の時刻を示す時刻情報である。例えば、ＧＰＳ取得部１０７は、ＧＵＩ部１０５により緯度および経度情報の取得が命令されると、所定の時間間隔（例えば１０分）毎に緯度および経度情報を取得する。緯度および経度は、ＧＰＳ取得部１０７が最新キャプチャ時刻が示す時刻にキャプチャした緯度および経度情報である。ミーティングＩＤは、会議を識別するための識別情報であって、図４のミーティングリストテーブルにおけるミーティングＩＤと対応する。識別情報は、ＧＰＳトレーステーブル内でレコードを識別するための識別情報である。
【００４９】
図５（ｃ）は、ペーパーレス会議システムテーブルにおけるレコードの例を示す。ペーパーレス会議システムテーブルは、多機能携帯端末１０が第２コンテンツを取得する例えばペーパーレス会議システム端末２１Ａが参加しているペーパーレス会議システム２０の属性情報が格納される。ペーパーレス会議システムテーブルのレコードは、終了時刻と、ミーティングＩＤと、名前と、パスコードと、ペーパーレス会議システムＩＤと、開始時刻と、識別情報とを含む。終了時刻は、対象のペーパーレス会議システム２０による会議の終了時刻である。ミーティングＩＤは、多機能携帯端末１０が参加している会議を識別するための識別情報であって、図４のミーティングリストテーブルにおけるミーティングＩＤと対応する。名前は、例えば対象のペーパーレス会議システム２０の名前である。パスコードは、対象のペーパーレス会議システム２０による会議の、パスコードによるアクセス制限の有無を示す情報である。パスコードの本体は、例えば対象のペーパーレス会議システム２０に参加するペーパーレス会議システム端末２１Ａおよび２１Ｂが保持している。ペーパーレス会議システムＩＤは、対象のペーパーレス会議システムによる会議を識別するための識別情報である。開始時刻は、対象のペーパーレス会議システム２０による会議の開始時刻である。識別情報は、ペーパーレス会議システムテーブル内でレコードを識別するための識別情報である。
【００５０】
図５（ｄ）は、キャプチャテーブルにおけるレコードの例を示す。キャプチャテーブルは、第１コンテンツ取得部１０２が撮像部４１１を制御して画像データを取得した際の属性情報が格納される。キャプチャテーブルのレコードは、クリエータと、緯度と、経度と、ミーティングＩＤと、時刻と、ＵＲＬと、識別情報とを含む。クリエータは、多機能携帯端末１０のユーザ名である。緯度および経度は、ＧＰＳ取得部１０７により取得された緯度および経度情報である。ミーティングＩＤは、会議を識別するための識別情報であって、図４のミーティングリストテーブルにおけるミーティングＩＤと対応する。時刻は、画像データが取得された時刻を示す時刻情報である。ＵＲＬは、画像データが格納される場所を示すＵＲＬ(Uniform  Resource  Locator)である。識別情報は、キャプチャテーブル内でレコードを識別するための識別情報である。
【００５１】
図５（ｅ）は、サウンドテーブルにおけるレコードの例を示す。サウンドテーブルは、音声取得部１０１が録音部４１２を制御して音声データを取得した際の属性情報が格納される。サウンドテーブルのレコードは、クリエータと、終了時刻と、ミーティングＩＤと、開始時刻と、ＵＲＬと、識別情報とを含む。クリエータは、多機能携帯端末１０のユーザ名である。終了時刻は、音声データの取得が終了した時刻を示す時刻情報である。ミーティングＩＤは、会議を識別するための識別情報であって、図４のミーティングリストテーブルにおけるミーティングＩＤと対応する。開始時刻は、音声データの取得を開始した時刻を示す時刻情報である。ＵＲＬは、音声データが格納される場所を示すＵＲＬである。識別情報は、サウンドテーブル内でレコードを識別するための識別情報である。
【００５２】
図５（ｆ）は、メモテーブルにおけるレコードの例を示す。メモテーブルは、第１コンテンツ取得部１０２がテキストデータまたはタグデータ（以降、纏めてメモデータと呼ぶ）を取得した際の属性情報が格納される。メモテーブルのレコードは、クリエータと、インデクスと、緯度と、経度と、ミーティングＩＤと、メモ内容と、時刻と、識別情報とを含む。クリエータは、多機能携帯端末１０のユーザ名である。インデクスは、メモに対するインデクス情報であって、例えば通し番号が用いられる。緯度および経度は、ＧＰＳ取得部１０７により取得された緯度および経度情報である。ミーティングＩＤは、会議を識別するための識別情報であって、図４のミーティングリストテーブルにおけるミーティングＩＤと対応する。メモ内容は、第１コンテンツ取得部１０２により取得されたメモデータである。メモ内容を空とすることで、当該メモデータをタグデータとして用いることができる。時刻は、メモデータが取得された時刻を示す時刻情報である。識別情報は、メモテーブル内でレコードを識別するための識別情報である。
【００５３】
上述した音声取得部１０１、第１コンテンツ取得部１０２、第２コンテンツ取得部１０３、音声再生制御部１０４、ＧＵＩ部１０５およびイベント登録部１０６は、予めＲＯＭ４０３やストレージ４０７に記憶され、ＣＰＵ４０２上で動作する、第１の実施形態に係る情報処理プログラムによって実現される。当該情報処理プログラムは、例えば、通信部４１０により例えばネットワークを介して接続されたコンピュータ上に格納し、当該ネットワーク経由でダウンロードさせることにより提供するように構成される。これに限らず、当該情報処理プログラムは、インストール可能な形式または実行可能な形式のファイルでＣＤ(Compact  Disk)、ＤＶＤ(Digital  Versatile  Disk)などのコンピュータで読み取り可能な記録媒体に記録して提供してもよい。
【００５４】
当該情報処理プログラムは、例えば、上述した各部（音声取得部１０１、第１コンテンツ取得部１０２、第２コンテンツ取得部１０３、音声再生制御部１０４、ＧＵＩ部１０５およびイベント登録部１０６）を含むモジュール構成となっており、実際のハードウェアとしては、ＣＰＵ４０２が例えばＲＯＭ４０３やストレージ４０７といった記憶装置から当該情報処理プログラムを読み出して実行することにより上述の各部が主記憶装置（例えばＲＡＭ４０４）上にロードされ、各部が主記憶装置上に生成されるようになっている。
【００５５】
図６は、ＧＵＩ部１０５の機能を示す一例の機能ブロック図である。ＧＵＩ部１０５は、表示制御部１０５０と、時間軸表示制御部１０５１と、音声制御表示生成部１０５２と、文字入力部１０５３と、機能選択部１０５４と、表示領域制御部１０５５と、コンテンツ制御部１０５６とを含む。
【００５６】
時間軸表示制御部１０５１は、ＧＵＩ部１０５に対する入力操作に応じた全体制御部１００の命令に従い、時間軸のスケール、すなわち、表示部４０６上での単位長さに対応する時間の長さを変更し、それに伴い、表示部４０６における時間軸方向の表示を変更する。
【００５７】
音声再生制御表示生成部１０５２は、音声再生制御部１０４による音声データの再生制御を命令するための表示を生成する。文字入力部１０５３は、文字入力を行うための表示を生成する。機能選択部１０５４は、多機能携帯端末１０上で動作する情報処理システムの各機能を選択し選択された機能の起動を命令するための表示と、各機能が選択状態であるか否かを示す表示を生成する。
【００５８】
表示領域制御部１０５５は、表示部４０６の表示領域を制御する。表示領域制御部１０５５は、画像データやテキストデータ、タグデータといった第１コンテンツを表示する第１コンテンツ表示領域と、外部の機器から取得した第２コンテンツを表示する第２コンテンツ表示領域とを、表示部４０６に設ける。このとき、表示領域制御部１０５５は、第１コンテンツ表示領域と第２コンテンツ表示領域とを、時間軸の表示を互いに共有し、領域が互いに重複しないように設ける。また、表示領域制御部１０５５は、ＧＵＩ部１０５に対する入力操作に応じた全体制御部１００の命令に従い、第１コンテンツ表示領域の幅と、第２コンテンツ表示領域の幅との比率を変更する。
【００５９】
コンテンツ制御部１０５６は、第１コンテンツ制御部１０５７と、第２コンテンツ制御部１０５８とを含む。第１コンテンツ制御部１０５７は、第１コンテンツ表示領域に対する第１コンテンツの表示を制御する。同様に、第２コンテンツ制御部１０５８は、第２コンテンツ表示領域に対する第２コンテンツの表示を制御する。
【００６０】
表示制御部１０５０は、ＧＵＩ部１０５に含まれる上述した各部において生成、制御される各表示を統合的に制御する。また、表示制御部１０５０は、当該各部において生成、制御される各表示以外の表示の制御も行う。
【００６１】
（ペーパーレス会議システム端末）
次に、第１の実施形態に適用可能なペーパーレス会議システム端末２１Ａおよび２１Ｂについて説明する。なお、ペーパーレス会議システム端末２１Ａおよび２１Ｂは、同様の構成で実現可能であるので、ここでは、ペーパーレス会議システム端末２１Ａを例にとって説明する。
【００６２】
図７は、ペーパーレス会議システム端末２１Ａの機能を示す一例の機能ブロック図である。ペーパーレス会議システム端末２１Ａは、全体制御部２１０と、ＧＵＩ部２１１と、通信部２１２と、ストレージ２１３とを含む。全体制御部２１０は、例えば、ＣＰＵの、プログラムに従った動作によりペーパーレス会議システム端末２１Ａの全体の動作を制御する。
【００６３】
ＧＵＩ部２１１は、タッチパネルの表示部に表示される表示画面を生成すると共に、タッチパネルの入力部に対して入力操作がなされた表示画面上の位置と、当該入力操作の方法を検出する。通信部２１２は、例えば他のペーパーレス会議システム端末２１Ｂとの通信を制御する。また、通信部２１２は、例えばＢｌｕｅｔｏｏｔｈ（登録商標）による通信Ｉ／Ｆを含み、多機能携帯端末１０との間で通信を行うことが可能とされている。ストレージ２１３は、データを不揮発に記憶することが可能な記憶媒体であって、例えばフラッシュメモリなどの不揮発性の半導体メモリである。
【００６４】
このような構成において、ペーパーレス会議システム端末２１Ａは、ストレージ２１３に対して、ページ単位で構成され、１以上のページを含む画像データ（資料画像データと呼ぶ）を予め格納する。この資料画像データの第１ページ目が、ペーパーレス会議システム端末２１ＡのＧＵＩ部２１１における表示部に表示される。
【００６５】
例えば、他のペーパーレス会議システム端末２１Ｂとペーパーレス会議システム端末２１Ａとの間で、会議の名前や識別情報（ペーパーレス会議ＩＤ）など所定の情報のやり取りが行われて、ペーパーレス会議システム２０による会議が成立する。このとき、ペーパーレス会議システム端末２１Ａからペーパーレス会議システム端末２１Ｂに対して資料画像データが送信される。ペーパーレス会議システム端末２１Ｂは、受信した資料画像データを自身が有するストレージ２１３に格納する。それと共に、ペーパーレス会議システム端末２１Ｂにおいて、当該資料画像データの第１ページ目が、ＧＵＩ部２１１の表示部に表示される。これにより、ペーパーレス会議システム端末２１Ａおよび２１Ｂに、資料画像データの同一のページが表示されていることになる。
【００６６】
ペーパーレス会議システム端末２１Ａにおいて、ユーザがペーパーレス会議システム端末２１ＡのＧＵＩ部２１１に対して、例えばスワイプなどの操作を行うことで、資料画像データにおいて表示されるページが切り替わリ、第２ページ目の表示となる。ページの切り替わりを示すページ操作情報がペーパーレス会議システム端末２１Ａからペーパーレス会議システム端末２１Ｂに送信される。このページ操作情報を受信したペーパーレス会議システム端末２１Ｂは、ページ操作情報に従い資料画像データの表示ページを切り替え、第２ページ目の表示とする。
【００６７】
このように、ペーパーレス会議システム２０では、マスタとなるペーパーレス会議システム端末２１Ａからスレーブとなるペーパーレス会議システム端末２１Ｂに対して資料画像データを送信し、さらに、ページ操作情報を送信する。これにより、ペーパーレス会議システム端末２１Ａとペーパーレス会議システム端末２１Ｂとの間で、表示される画像を共有することができる。
【００６８】
（第１の実施形態による記録動作）
次に、第１の実施形態に係る多機能携帯端末１０における記録動作について説明する。各種データの記録動作は、第１の実施形態に係る情報処理プログラムに従い、ＧＵＩ部１０５により表示部４０６に表示された画面に応じた入力部４０９に対する入力操作に応じた全体制御部１００の制御に従い、イベント駆動型で実行される。
【００６９】
図８は、第１の実施形態に係る情報処理プログラムに従った、多機能携帯端末１０における記録動作による画面の遷移の例を概略的に示す。記録動作時において表示部４０６に表示される画面は、概略的には、初期画面、機能実行画面、状態表示画面およびデータ操作画面の４種類に分けることができる。初期画面は、多機能携帯端末１０に実行させる機能を指定する画面の、初期の状態の画面である。機能実行画面は、指定された機能が実行される際の画面であり、例えば機能実行画面の表示に伴い機能に応じたデータが取得される。取得されたデータは、多機能携帯端末１０に一時的に保持される。状態表示画面は、機能実行画面で機能が実行された状態を示す画面である。状態表示画面は、機能を指定する画面としての機能も兼ね備える。データ操作画面は、機能実行画面で実行された機能により一時的に保持されたデータや、記録されたログ情報に対する操作を指定する。
【００７０】
図８において、画面５００Ａおよび５００Ｂが初期画面、画面５１０〜５１６が機能実行画面、画面５２０〜５２６が状態表示画面、画面５３０〜５６０がデータ操作画面を示す。なお、画面５１７、５１８および５２７は、ペーパーレス会議システム２０との連携を行う際に表示される画面である。全体制御部１００は、第１の実施形態に係る情報処理プログラムに従いＧＵＩ部１０５を制御して、表示部４０６に対して各画面を表示させる。また、全体制御部１００は、表示部４０６に表示される各画面に応じた入力部４０９に対する操作をＧＵＩ部１０５が検出した検出結果に基づき、多機能携帯端末１０の各機能を制御する。
【００７１】
（初期画面）
図９は、第１の実施形態に係る初期画面の例を示す。図９（ａ）は、第１初期画面である画面５００Ａの例、図９（ｂ）は、第２初期画面である画面５００Ｂの例をそれぞれ示す。画面５００Ａの第１初期画面は、多機能携帯端末１０の内部で生成されるデータの記録機能に関する画面である。また、画面５００Ｂの第２初期画面は、外部の機器から取得したデータの記録機能に関する画面である。これら第１初期画面および第２初期画面は、多機能携帯端末１０においてログ情報の記録機能や閲覧機能が実行されていない状態の画面である。
【００７２】
図９（ａ）を用いて、第１初期画面について説明する。図９（ａ）において、画面５００Ａは、上端部から下端部に向けて、第１〜第４表示領域の４の表示領域が配される。第１表示領域は、データ操作に関する指定を行うボタン５００１〜５００３が配される。ボタン５００１は、機能実行画面で実行された各機能により一時的に保持された各データを一纏めのログ情報として登録するためのチェックインボタンである。ボタン５００２は、当該各データを削除するための削除ボタンである。ボタン５００３は、当該各データを、第１の実施形態に係る情報処理プログラムが搭載された他の機器との間で共有するための共有ボタンである。
【００７３】
第２表示領域は、データの記録状態を示す各表示が配される。第２表示領域における表示領域５０１０は、録音中の音声データのレベルを示すレベルメータ５０１１が配される。表示領域５０１２は、第１および第２コンテンツに関する表示領域５０１３および５０２０が配される。表示領域５０１３は、メモデータに関する情報を表示し、表示領域５０２０は、画像データによる画像を表示する。
【００７４】
第２表示領域における表示領域５０１４は、各データの保持状態を示す表示５０１５〜５０１９が配される。表示５０１５は、音声データが録音中であるか否かを示す。表示５０１６は、メモデータが保持されているか否かを示す。表示５０１７は、メモデータ、画像データおよび位置情報の取得状態を示す。表示５０１８は、イベント（スケジュール）情報が保持されているか否かを示す。表示５０１９は、ＧＰＳ機能がオンとされているか否かを示す。
【００７５】
第３表示領域は、第１初期画面と第２初期画面とを切り替えるボタン５０２１および５０２２と、ＧＰＳ機能を起動させるためのボタン５０２３と、各データの記録（保持）を制御するボタン５０２４〜５０２７とが配される。ボタン５０２１および５０２２は、画面５００Ａおよび５００Ｂに同様に配され、第１初期画面である画面５００Ａが表示されている場合にボタン５０２２を操作することで、画面表示が第２初期画面である画面５００Ｂに切り替わる。また、画面５００Ｂが表示されている場合にボタン５０２１を操作することで、画面表示が画面５００Ａに切り替わる。
【００７６】
ボタン５０２３は、ＧＰＳ機能の起動および終了を指示するためのＧＰＳログボタンである。ボタン５０２４は、録音の開始および終了を指示するための録音ボタンである。ボタン５０２５は、メモデータを入力するためのメモボタンである。ボタン５０２６は、撮像部４１１により被写体を撮像して画像データを取得する撮像ボタンである。ボタン５０２７は、イベント（スケジュール）情報を登録するためのイベント登録ボタンである。
【００７７】
第４表示領域は、動作モードを指定するためのボタン５０２８〜５０３０が配される。ボタン５０２８は、ログ情報を新規に作成するための新規作成ボタンである。例えば、このボタン５０２８を操作することで、テーブル保持部１０８において図４のミーティングリストテーブルが作成され、所定に生成されたミーティングＩＤと、ボタン５０２８を操作した時刻を示す開始時刻がミーティングリストテーブルに格納される。これにより、ひと纏まりのログ情報データの作成が開始される。
【００７８】
ボタン５０２９は、登録されたログ情報を閲覧するための履歴ボタンである。ボタン５０３０は、例えば当該情報処理プログラムに関する種々の情報を表示させるためのボタンである。ボタン５０３０の操作により、例えば、当該情報処理プログラムのバージョン情報、記録されたログ情報に関する情報、当該情報処理プログラムが搭載されている多機能携帯端末１０自体の情報といった情報が表示される。
【００７９】
図９（ｂ）を用いて、第２初期画面について説明する。図９（ｂ）に例示される、第２初期画面としての画面５００Ｂは、上述の画面５００Ａと同様に、上端部から下端部に向けて、第１〜第４表示領域の４の表示領域が配されている。これらのうち、第１、第２および第４表示領域は、画面５００Ａの対応する表示領域と共通なので、ここでの説明を省略する。
【００８０】
画面５００Ｂにおいて、第３表示領域は、ボタン５０２１〜５０２３が画面５００Ａと共通に配される。一方、画面５００Ｂにおいて、上述の画面５００Ａのボタン５０２４〜５０２７の代わりに、ペーパーレス会議システム２０との連携を指示する会議システム連携ボタンであるボタン５０４０が配される。
【００８１】
（データ取得機能動作）
次に、第１初期画面である画面５００Ａと、第２初期画面である画面５００Ｂとにおいて、第３表示領域に配される、ボタン５０２１および５０２２を除く各ボタンが操作された場合の、多機能携帯端末１０の動作について図３を参照しながら説明する。例えば、ＧＵＩ部１０５は、表示部４０６の表示に応じて入力部４０９になされた操作を検知すると、検知結果を全体制御部１００に渡す。全体制御部１００は、ＧＵＩ部１０５から渡された検知結果に応じて多機能携帯端末１０の各部の機能を実行させる。
【００８２】
先ず、第１初期画面である画面５００Ａに係る機能について説明する。録音ボタンであるボタン５０２４を操作した場合の動作について説明する。ボタン５０２４に対するタップ操作に応じて、音声取得部１０１により録音部４１２が制御され、音声の取得が開始される。ボタン５０２４のタップ操作に応じて、表示部４０６の表示が図１０（ａ）の録音待機中の画面５１０から図１０（ｂ）の録音中を示す画面５２０に変更される。
【００８３】
画面５２０において、ボタン５０２４の表示が変更されてボタン５０２４’とされ、表示５０１５が反転表示に変更されて、録音中であることが示される。また、レベルメータ５０１１に対して、取得される音声の信号レベルが表示される。また、録音に用いられるデバイスの種類が表示領域５２０１に表示される。この例では、多機能携帯端末１０の内蔵マイクを用いて録音が実行されていることが示されている。録音で取得された音声データは、データ保持部１０９に渡され、ストレージ４０７に記憶される。また、テーブル保持部１０８において図５（ｅ）に示したサウンドテーブルが作成され、レコードの各値が記憶される。録音中にボタン５０２４’のタップ操作に応じて、録音を中止することができる。
【００８４】
メモボタンであるボタン５０２５を操作した場合の動作について説明する。ボタン５０２５は、タップと長押しとで異なる処理が実行される。ボタン５０２５に対するタップ操作に応じて、タップされた時刻を示すタグデータがメモデータとして生成される。タグデータは、少なくとも時刻情報を保持していればよく、例えば内容を含まない空のテキストデータを利用することができる。この場合、時刻情報は、当該テキストデータのファイルのタイムスタンプを利用できる。
【００８５】
ボタン５０２５に対するタップ操作に応じて、第１コンテンツ取得部１０２によりタップを検知した日付および時刻が取得される。テーブル保持部１０８において図５（ｆ）に示したメモテーブルが作成され、レコードの各値が記憶される。
【００８６】
さらに、例えば、表示部４０６の表示が図１１（ａ）に画面５１１として示すように、メモデータの保持を示すため表示５０１６が例えば強調表示され、取得された、ボタン５０２５に対するタップを検知した日付および時刻と、現在保持されているメモデータの個数とが表示領域５０１３に表示される。そして、取得した日付および時刻を含むタグデータが、第１コンテンツ取得部１０２によりデータ保持部１０９に渡され、メモデータとしてストレージ４０７に記憶される。メモデータがストレージ４０７に記憶されると、図１１（ｂ）に画面５２１として示すように、メモデータの取得が完了された旨を示すように、表示５０１７が強調表示される。表示部４０６の表示は、例えば画面５２１が所定時間の間表示された後、画面５１１に戻される。
【００８７】
なお、図１１（ａ）および図１１（ｂ）は、上述した図１０（ｂ）の録音中の画面５２０において、ボタン５０２５がタップされた場合について示している。このように、多機能携帯端末１０は、録音動作を実行中に他の操作を受け付けることができるようになっている。また、後述する図１２〜図１５は、図１１（ｂ）の状態に対して、順次、機能が追加された場合の画面の例を示している。勿論、図１１〜図１５において説明される各機能は、それぞれ単独で実行させることもできる。
【００８８】
ボタン５０２５に対する長押しに応じて、メモを作成する処理が実行される。第１コンテンツ取得部１０２は、ＧＵＩ部１０５によりボタン５０２５の長押しが検知されると、図１２（ａ）に画面５１２として例示されるように、多機能携帯端末１０に標準で搭載されているテキストデータ作成アプリケーションを呼び出す。
【００８９】
画面５１２において、表示領域５１２２に文字入力のための各種キーが配置され、これらキーの操作に応じた文字がテキスト表示領域５１２３に表示される。ボタン５１２０に対するタップ操作に応じて、入力されたテキストデータによるメモデータがデータ保持部１０９に渡されストレージ４０７に記憶される。また、テーブル保持部１０８において図５（ｆ）に示したメモテーブルが作成され、レコードの各値が記憶される。メモデータのファイル名は、テキストデータの１行目を用いてもよいし、予め定められた規則に従い設定してもよい。
【００９０】
ボタン５１２０に対するタップ操作に応じて、テキストデータ作成アプリケーションが終了され、表示部４０６の表示が図１２（ｂ）の画面５２２に変更される。画面５２２において、上述した図１１（ｂ）と同様に、表示領域５０１３に対してメモデータを保持した日付および時刻と、現在保持されているメモデータの個数とが表示される。また、メモデータが保持されている旨を示すため、表示５０１６が例えば強調表示される。
【００９１】
なお、メモデータとしてのテキストデータの入力は、多機能携帯端末１０に標準で搭載されているテキストデータ作成アプリケーションを用いるのに限られず、第１の実施形態による情報処理プログラム独自のテキストデータ作成アプリケーションを用いてもよい。また、メモデータは、キー入力によるテキストデータの入力に限られず、タッチパネル１１を接触して文字を描く手書き入力を利用して作成してもよい。
【００９２】
撮像ボタンであるボタン５０２６を操作した場合の動作について説明する。ＧＵＩ部１０５がボタン５０２６に対するタップを検知すると、全体制御部１００は、多機能携帯端末１０に標準で搭載されている撮像アプリケーションを呼び出す（図８の画面５１３に対応）。所定の操作に従い撮像アプリケーションにより撮像が行われ、画像データが生成される。第１コンテンツ取得部１０２は、撮像で得られた画像データを取得して、例えばデータ保持部１０９に渡す。データ保持部１０９は、渡された画像データをストレージ４０７に記憶する。また、第１コンテンツ取得部１０２は、テーブル保持部１０８に対して図５（ｄ）に示したキャプチャテーブルを作成し、レコードの各値をテーブルに格納する。
【００９３】
撮像が完了され撮像アプリケーションが終了されると、第１コンテンツ取得部１０２は、ＧＵＩ部１０５に、図１３に例示される画面５２３を表示させる。画面５２３において、表示領域５２３０に対して撮像により画像データが取得された日付および時刻が表示され、表示領域５０２０に対して撮像で得られた画像データによる画像５２３１が表示される。画像５２３１は、実際の画像データによる画像サイズを画面５２３の表示に適したサイズに変換して予め作成されたサムネイル画像が用いられる。
【００９４】
なお、多機能携帯端末１０が動画の録画機能を備えている場合、ボタン５０２６の操作により動画データを取得してもよい。この場合、画像５２３１として、録画された動画データにおける予め定められたタイミングのフレームを用いることができる。
【００９５】
イベント登録ボタンであるボタン５０２７を操作した場合の動作について説明する。ボタン５０２７に対するタップ操作に応じて、全体制御部１００は、多機能携帯端末１０に標準で搭載されているスケジュール管理アプリケーション（例えばカレンダアプリケーション）を呼び出す。図１４（ａ）は、このスケジュール管理アプリケーションの一例の画面５１４を示す。画面５１４において、入力部５１４２は、スケジュールとして管理されるイベントのタイトルが入力され、入力部５１４３は、イベントに関する場所の情報が入力される。入力部５１４４は、イベントの開始および終了の日時および時刻が入力される。また、表示領域５１２２に隠れた部分には、イベントの詳細などの情報を入力する入力部が配される。この部分は、画面５１４を縦方向にスワイプ操作またはフリック操作することで表示させることができる。
【００９６】
この、隠れた部分をスワイプ操作やフリック操作で表示させる機能は、他の画面についても同様に適用される。
【００９７】
イベント登録部１０６は、画面５１４のボタン５１４１に対するタップ操作に応じて、画面５１４の各入力部に入力された情報をイベント情報としてデータ保持部１０９に渡す。データ保持部１０９は、渡されたイベント情報をストレージ４０７に記憶する。また、イベント登録部１０６は、テーブル保持部１０８に対して図５（ａ）に示したイベントテーブルを作成し、レコードの各値を格納する。
【００９８】
イベント情報は、例えば、多機能携帯端末１０に標準で搭載されているカレンダアプリケーションの、入力部５１４４に入力された日付に対応する情報として保持される。ボタン５１４１に対するタップ操作に応じて、スケジュール管理アプリケーションが終了され、表示部４０６の表示が図１４（ｂ）の画面５２４に変更される。画面５２４において、イベント情報が例えばデータ保持部１０９に渡されストレージ４０７に記憶された旨を示すように、表示５０１７が例えば強調表示され、さらに、イベント情報が登録されている旨を示すように、表示５０１８が例えば強調表示される。
【００９９】
ＧＰＳログボタンであるボタン５０２３を操作した場合の動作について説明する。ボタン５０２７に対するタップ操作に応じて、ＧＰＳ取得部１０７は、多機能携帯端末１０に標準で搭載されているＧＰＳ機能を起動させ、ＧＰＳ受信部４１５によるＧＰＳ信号の受信および解析を開始する。図１５は、ボタン５０２３対するタップ操作に応じてＧＰＳ機能が起動した場合に表示部４０６に表示される画面５１５の例を示す。表示５０１９が反転表示とされ、ＧＰＳ機能がオンとされていることが示される。
【０１００】
なお、ＧＰＳ受信部４１５に解析された位置情報は、データ保持部１０９に渡され、ストレージ４０７に記憶される。ＧＰＳ取得部１０７は、テーブル保持部１０８に対して図５（ｂ）に示したＧＰＳトレーステーブルを作成し、レコードの各値を格納する。
【０１０１】
なお、ＧＰＳ機能の実行中にボタン５０２３に対してタップ操作を行うことで、ＧＰＳ機能の実行を停止させることができる。また、ＧＰＳ機能の実行中に、例えば１０分間隔など、所定の時間間隔毎に位置情報を取得するようにすると、位置情報の記憶容量を節約でき、好ましい。
【０１０２】
（ペーパーレス会議システムとの連携動作）
次に、第２初期画面である画面５００Ｂに係る機能について説明する。画面５００Ｂにおいて、会議システム連携ボタンであるボタン５０４０に対するタップ操作に応じて、第２コンテンツ取得部１０３は、自身の多機能携帯端末１０が現在通信可能なペーパーレス会議システム端末２１Ａ、２１Ｂにおいて開催されている会議の情報（会議のタイトル、会議の識別情報など）を取得する。
【０１０３】
また、ボタン５０４０に対するタップ操作に応じて、ＧＵＩ部１０５は、表示部４０６の表示を、図１６（ａ）に例示される画面５１６に変更する。画面５１６において、表示領域５１６０に対して連携したい会議システムを選択する選択部５１６１と、会議システムとの連携をキャンセルするキャンセルボタン５１６２とが設けられる。選択部５１６１を操作することで、表示部４０６の表示が図１６（ｂ）に例示されるような画面５１７に変更され、第２コンテンツ取得部１０３で取得された会議を示す情報、例えば会議のタイトルが一覧表示される。図１６（ｂ）の例では、多機能携帯端末１０が通信可能なペーパーレス会議システム端末２１Ａ、２１Ｂにおいて、会議「Ｒｏｏｍ＿０４＿０３＿１４＿２０」と会議「Ｒｏｏｍ＿０４＿０４＿１２＿２０」とが開催されていることが示されている。
【０１０４】
なお、ここでは、ペーパーレス会議システム端末２１Ａをマスタとして会議「Ｒｏｏｍ＿０４＿０３＿１４＿２０」が開催され、ペーパーレス会議システム端末２１Ｂをマスタとして会議「Ｒｏｏｍ＿０４＿０４＿１２＿２０」が開催されているものとする。このとき、ペーパーレス会議システム端末２１Ａおよび２１Ｂは、それぞれ異なる端末をスレーブとして、各会議を開催しているものとする。また、画面５１７において、ペーパーレス会議システム端末２１Ａおよび２１Ｂの端末名（Ｔｋ１０３２．ＬｏｃａｌおよびＴｋ１０３３．Ｌｏｃａｌ）が、各会議タイトルと共に表示されている。
【０１０５】
ユーザは、画面５１７を操作して、一覧表示された会議から所望の会議を選択する。ここでは、ペーパーレス会議システム端末２１Ａをマスタとする会議「Ｒｏｏｍ＿０４＿０３＿１４＿２０」を選択したものとする。選択した会議がパスコードを要求する場合、第２コンテンツ取得部１０３は、ＧＵＩ部１０５にその旨を通知する。ＧＵＩ部１０５は、この通知に応じて、図１７に例示されるパスコード入力を行うための画面５１８を表示部４０６に表示させる。画面５１８において、表示領域５１８３およびキー入力部５１８２がそれぞれ表示される。表示領域５１８３は、パスコード入力部５１８０と、参加ボタン５１８１とが配される。ユーザは、キー入力部５１８２を操作して、パスコード入力部５１８０に対して選択した会議に参加するためのパスコードを入力する。
【０１０６】
第２コンテンツ取得部１０３は、参加ボタン５１８１に対するタップ操作に応じて、パスコード入力部５１８０に入力されたパスコードを会議「Ｒｏｏｍ＿０４＿０３＿１４＿２０」のマスタであるペーパーレス会議システム端末２１Ａに送信する。送信されたパスコードがペーパーレス会議システム端末２１Ａに認証されると、認証成功の通知がペーパーレス会議システム端末２１Ａから多機能携帯端末１０に対して送信される。第２コンテンツ取得部１０３は、認証成功の通知を受け取ると、会議「Ｒｏｏｍ＿０４＿０３＿１４＿２０」との連携を確立して、ペーパーレス会議システム２１Ａに対して、会議「Ｒｏｏｍ＿０４＿０３＿１４＿２０」により閲覧される画像データを要求する。
【０１０７】
また、第２コンテンツ取得部１０３は、テーブル保持部１０８に対して図５（ｃ）に示したペーパーレス会議システムテーブルを作成し、レコードの各値を格納する。
【０１０８】
図１８は、第１の実施形態に係る、ペーパーレス会議システム２０との会議連携を行う会議連携処理の例を示すフローチャートである。第２初期画面である画面５００Ｂでボタン５０４０が操作されると、第２コンテンツ取得部１０３は、ステップＳ１００で、接続可能な会議を検索する。表示部４０６の表示は、画面５００Ｂから図１６（ａ）の画面５１６に変更される。ＧＵＩ部１０５は、ユーザの選択部５１６１に対する操作に従い表示部４０６の表示を図１６（ｂ）の画面５１７に変更し、ステップＳ１００で検索された接続可能な会議の一覧を表示する（ステップＳ１０１）。
【０１０９】
第２コンテンツ取得部１０３は、画面５１７に対するユーザ操作により接続したい会議が選択されると（ステップＳ１０２）、次のステップＳ１０３で、選択された会議に接続する。すなわち、第２コンテンツ取得部１０３は、選択された会議のマスタである例えばペーパーレス会議システム端末２１Ａとの間で通信を確立する。このとき、ペーパーレス会議システム端末２１Ａは、接続された多機能携帯端末１０との間でペーパーレス会議システム２０の連携を行う際にパスコードが必要な場合、当該多機能携帯端末１０に対してパスコードを要求する。
【０１１０】
第２コンテンツ取得部１０３は、ステップＳ１０４で、接続先のペーパーレス会議システム２０がパスコードを要求しているか否かを判定する。若し、パスコードを要求していないと判定した場合、第２コンテンツ取得部１０３は、処理を後述するステップＳ１０８に移行させる。一方、第２コンテンツ取得部１０３は、ペーパーレス会議システム端末２１Ａからパスコード要求を受け取った場合、処理をステップＳ１０５に移行させ、ＧＵＩ部１０５に対して、表示部４０６にパスコード入力を行うための画面５１８を表示させるよう指示する。
【０１１１】
画面５１８において参加ボタン５１８１が操作されると、第２コンテンツ取得部１０３は、パスコード入力部５１８０に入力されたパスコードをペーパーレス会議システム端末２１Ａに送信する。ペーパーレス会議システム端末２１Ａは、多機能携帯端末１０から送信されたパスコードに対して認証処理を行い、認証結果を多機能携帯端末１０に送信する。第２コンテンツ取得部１０３は、ステップＳ１０６で、送信された認証結果が認証成功を示しているか否かを判定する。
【０１１２】
第２コンテンツ取得部１０３は、ステップＳ１０６で、ペーパーレス会議システム端末２１Ａから送信された認証結果が認証失敗を示していると判定した場合、図１８のフローチャートによる一連の処理を終了させる。すなわち、この場合には、多機能携帯端末１０からペーパーレス会議システム２０に参加できないことになる。
【０１１３】
一方、第２コンテンツ取得部１０３は、ステップＳ１０６で、ペーパーレス会議システム端末２１Ａから送信された認証結果が認証成功を示していると判定した場合、処理をステップＳ１０７に移行させる。第２コンテンツ取得部１０３は、ステップＳ１０７で、ペーパーレス会議システム２０との連携で取得されるデータの格納先（例えばストレージ４０７の所定のフォルダ）を、上述のステップＳ１０５で入力されたパスコードを用いて保護する。例えば、当該フォルダそのもの、および、当該フォルダに格納される各ファイルを、それぞれパスコードをキーとして暗号化する。
【０１１４】
処理はステップＳ１０８に移行され、第２コンテンツ取得部１０３は、ペーパーレス会議システム端末２１Ａから、ペーパーレス会議システム端末２１Ａに現在表示されているページの画像データを取得する。次のステップＳ１０９で、第２コンテンツ取得部１０３は、ステップＳ１０８で取得した画像データを、当該画像データを取得した時刻を示す時刻情報と関連付けてデータ保持部１０９に渡し、ストレージ４０７に記憶する。
【０１１５】
第２コンテンツ取得部１０３は、ステップＳ１０９で、さらに、取得した画像データを表示部４０６に表示させる。図１９は、ペーパーレス会議システム端末２１Ａに現在表示されている画像の画像データを表示部４０６に表示させた例を示す。図１９に例示される画面５２７は、ペーパーレス会議システム端末２１Ａから取得した画像データを縮小したサムネイル画像である画像５２７１が表示領域５０２０に表示される。また、ペーパーレス会議システム２０から画像データを取得した旨を示すため、表示５０１７が例えば強調表示される。また、画面５２７において、連携した会議のタイトルが表示領域５２７０に表示される。
【０１１６】
次のステップＳ１１０で、第２コンテンツ取得部１０３は、ペーパーレス会議システム端末２１Ａから送信される、ページに対してなされたアクションを示す情報を受信したか否かを判定する。例えば、ペーパーレス会議システム端末２１Ａに対して、例えばスワイプなどページを捲る操作がなされると、ペーパーレス会議システム端末２１Ａは、ページを捲る操作を示す情報を、ペーパーレス会議システム２０の他の端末に送信すると共に、当該情報を連携している多機能携帯端末１０にも送信する。
【０１１７】
第２コンテンツ取得部１０３は、ペーパーレス会議システム端末２１Ａから、ページに対するアクションを示す情報を受信すると、処理をステップＳ１０９に戻し、アクションの結果ペーパーレス会議システム端末２１Ａに現在表示されるページの画像データと、当該アクションを受信した時刻とを関連付けてデータ保持部１０９に渡し、ストレージ４０７に記憶する。そして、第２コンテンツ取得部１０３は、ステップＳ１１０で次のアクションの有無を判定する。
【０１１８】
第２コンテンツ取得部１０３は、若し、ステップＳ１１０でアクションを示す情報を受信していないと判定した場合、処理をステップＳ１１１に移行させる。ステップＳ１１１で、第２コンテンツ取得部１０３は、ペーパーレス会議システム２０との連携を終了させるか否かを判定する。連携を終了させないと判定した場合、第２コンテンツ取得部１０３は、処理をステップＳ１１０に戻し、次のアクションを待機する。一方、連携を終了させると判定した場合、第２コンテンツ取得部１０３は、図１８のフローチャートによる一連の処理を終了させる。
【０１１９】
例えば、ペーパーレス会議システム２０との連携中に、画面５２７において会議システム連携ボタンであるボタン５０４０を操作することで、ペーパーレス会議システム２０との連携が終了される。また、動作を後述するチェックインボタンであるボタン５００１を操作してチェックインを実行することでも、ペーパーレス会議システム２０との連携を終了させることができる。
【０１２０】
ここで、ペーパーレス会議システム２０との連携は、多機能携帯端末１０の他の機能と同時に実行することができる。図２０は、ペーパーレス会議システム２０との連携を他の機能と同時に行った場合の、表示部４０６の表示の例を示す。図２０において、画面５２６は、上述した録音処理を実行しつつ、メモデータおよび画像データが登録され、さらに、ペーパーレス会議システム２０との連携が行われた場合の例である。
【０１２１】
画面５２６において、表示５０１５が反転表示とされて録音中であることが示され、表示５０１６および５０１７が強調表示され、メモデータおよび画像データが取得されていることが示される。表示領域５０２０Ｂに、取得された画像データによる画像５２３１が表示されている。また、表示領域５２７０に、連携中の会議のタイトルが表示され、表示領域５０２０Ａに、連携中の会議のペーパーレス会議システム端末２１Ａにおいて現在表示されている画像を縮小した画像５０７１が表示される。
【０１２２】
（データ操作）
次に、データ操作について説明する。データ操作は、上述した各画面の第１表示領域に配される、チェックインボタンであるボタン５００１、削除ボタンであるボタン５００２、あるいは、共有ボタンであるボタン５００３、ならびに、第４表示領域に配される、新規作成ボタンであるボタン５０２８および履歴ボタンであるボタン５０２９のうち、何れか１を操作することで実行される。
【０１２３】
チェックインボタンであるボタン５００１が操作された場合の動作について説明する。ボタン５００１に対するタップ操作に応じて、全体制御部１００は、新規作成ボタンであるボタン５０２８が操作されてから保持された各データを一纏めにして、ログ情報として保存する。例えば、全体制御部１００は、ボタン５００１の操作に応じて、当該ログ情報を、所定のシステムに登録する。このログ情報を所定のシステムに登録する動作を、チェックインと呼ぶ。
【０１２４】
第１の実施形態では、チェックインにより、ログ情報を、日付情報と関連付けて、多機能携帯端末１０に標準で搭載されているカレンダアプリケーション（ローカルカレンダ）に登録する。図２１は、チェックイン時の表示部４０６の表示の例を示す。ＧＵＩ部１０５は、ボタン５００１に対するタップ操作に応じて、表示部４０６に対して図２１（ａ）に例示される画面５３０を表示させる。図２１（ａ）の例では、表示領域５３０１に対して、チェックイン先を指定するボタン５３０２と、チェックイン操作をキャンセルするキャンセルボタン５３０３とが配される。チェックイン先は、例えばローカルカレンダを指定することができる。
【０１２５】
画面５３０においてボタン５３０２が操作され、ローカルカレンダが指定されると、ＧＵＩ部１０５は、表示部４０６の表示を画面５３０から図２１（ｂ）の画面５３１に変更する。画面５３１において、表示領域５３１０にボタン５３１１、５３１２および５３１３が配される。ボタン５３１１は、ローカルカレンダに対してイベントを新規に作成し、作成されたイベントにログ情報を登録させるためのボタンである。ボタン５３１２は、ローカルカレンダに対して既に登録されているイベントに対してログ情報を追記するためのボタンである。ボタン５３１３は、ログ情報の登録をキャンセルさせるためのボタンである。
【０１２６】
ボタン５３１１または５３１２に対するタップ操作に応じてログ情報の登録が行われる。一例として、全体制御部１００は、ボタン５３１１または５３１２に対するタップ操作に応じてローカルカレンダにアクセスする。また、全体制御部１００は、テーブル保持部１０８から、新規作成ボタンであるボタン５０２８が最後に操作された際に作成されたミーティングリストテーブル（図４参照）を参照し、ボタン５０２８が操作された時刻を終了時刻として当該ミーティングリストテーブルに格納する。そして、全体制御部１００は、当該ミーティングリストテーブルの識別情報（例えはミーティングＩＤ）を１のイベントに関連付けて、ログ情報の登録を行う。このとき、全体制御部１００は、当該ミーティングリストテーブルにおけるタイトル、開始時刻および終了時刻を、それぞれイベントのタイトル、開始時刻および終了時刻として用いて、ログ情報をローカルカレンダに登録することができる。
【０１２７】
履歴ボタンであるボタン５０２９が操作された場合の動作について説明する。全体制御部１００は、ボタン５０２９に対するタップ操作に応じて、ローカルカレンダにアクセスして登録済みのイベントを取得する。ＧＵＩ部１０５は、取得された各イベントを、表示部４０６に一覧表示させる。なお、全体制御部１００は、取得した各イベントを、日付やタイトルなど所定の条件に従い絞り込んでもよい。
【０１２８】
図２２は、表示部４０６に表示される、イベント情報が一覧表示された画面５４０の例を示す。図２２の例では、画面５４０に対して、表示領域５４００に対してイベント情報の一覧が表示されている。この例では、表示領域５４００において、各イベント情報として、各イベントのタイトル、開始時刻および終了時刻が表示されている。
【０１２９】
ユーザは、この表示領域５４００の、所望のイベント情報に対応する位置に対してタップ操作を行う。これにより、タップ操作された位置に対応するイベント情報に関連付けられたログ情報を指定することができる。全体制御部１００は、このタップ操作に応じて、チェックイン先であるローカルカレンダから選択されたイベント情報を読み込み、テーブル保持部１０８から、読み込んだイベント情報に関連付けられるログ情報に対応するミーティングリストテーブルを取得する。全体制御部１００は、さらに、取得した当該ミーティングリストテーブルにミーティングＩＤで関連付けられる各テーブルを、テーブル保持部１０８から取得する。全体制御部１００は、取得した各テーブルの情報に基づき、表示部４０６に対して後述する履歴再生画面を表示させる表示制御情報を生成し、ＧＵＩ部１０５に渡す。
【０１３０】
なお、画面５４０において、ボタン５４０１は、地図情報を表示させるためのボタンである。一例として、全体制御部１００は、ボタン５４０１に対するタップ操作に応じて、表示領域５４００に表示される各履歴情報に対してミーティングリストテーブルを介して関連付けられる各ＧＰＳトレーステーブルのそれぞれから、最新の緯度および経度情報を取得する。全体制御部１００は、取得した各緯度および経度情報と、当該各緯度および軽度情報に関連付けられるミーティングＩＤとをパラメータとして、多機能携帯端末１０に搭載される地図表示アプリケーションを呼び出して地図を表示させる。ユーザは、この地図を参照して、所望の履歴情報を選択することができる。
【０１３１】
表示領域５４００に表示される各履歴情報に対する選択により取得したミーティングリストテーブルに、パスコードが「有り」を示すペーパーレス会議システムテーブルが関連付けられている場合、当該ペーパーレス会議システムテーブルに示されるペーパーレス会議システム２０の会議から取得されたデータの格納先が当該パスコードにより暗号化されている。全体制御部１００によるＧＵＩ部１０５の制御に従い、表示部４０６に対して図２３に例示されるパスコードを入力するための画面５４１が表示される。
【０１３２】
図２３に示す画面５４１において、表示領域５４１０およびキー入力部５４８２がそれぞれ表示される。表示領域５４１０は、パスコード入力部５４１１と、ＯＫボタン５４１２と、キャンセルボタン５４１３とが配される。ユーザは、キー入力部５４８２を操作して、パスコード入力部５４１１に対して選択した履歴情報に関連付けられたペーパーレス会議システム２０の会議に対応するパスコードを入力する。例えば、全体制御部１００は、入力されたパスコードを用いて、当該会議から取得されたデータの格納先になされた暗号化の暗号の復号を試みる。若し、復号が成功した場合には、全体制御部１００は、後述する履歴再生画面を表示させる表示制御情報を生成し、ＧＵＩ部１０５に渡す。一方、復号が失敗した場合には、全体制御部１００は、再びパスコード入力部５４１１を表示させ、正しいパスコードの入力を促す。
【０１３３】
なお、キャンセルボタン５４１３を操作することで、この画面５４１によるパスコードの入力処理がキャンセルされる。そして、全体制御部１００は、例えば表示部４０６の表示を上述した図２２の画面５４０に変更し、履歴情報の選択を促す。
【０１３４】
共有ボタンであるボタン５００３が操作された場合の動作について説明する。第１の実施形態に係る多機能携帯端末１０（第１の多機能携帯端末１０とする）は、例えばデータＩ／Ｆ４０８による通信を用いて、他の多機能携帯端末１０（第２の多機能携帯端末１０とする）との間でデータ通信を行うことができる。そして、第１の多機能携帯端末１０および第２の多機能携帯端末１０は、このデータ通信により、互いにログ情報を共有することができる。
【０１３５】
一例として、データＩ／Ｆ４０８がＢｌｕｅｔｏｏｔｈ（登録商標）による無線通信を行うものとして、複数の多機能携帯端末１０間でのログ情報の共有について説明する。第１の多機能携帯端末１０において、全体制御部１００は、ボタン５００３に対するタップ操作に応じて、データＩ／Ｆ４０８による通信により、通信可能な第２の多機能携帯端末１０を探索する。第１の多機能携帯端末１０は、通信可能な第２の多機能携帯端末１０が探索されると、探索された第２の多機能携帯端末１０との間でデータＩ／Ｆ４０８を用いた通信を確立する。
【０１３６】
第１の多機能携帯端末１０において、全体制御部１００は、第２の多機能携帯端末１０との間の通信を通じて、例えば、第２の多機能携帯端末１０に対して第１の実施形態に係る情報処理プログラムを搭載しているか否かを問い合わせる。第１の多機能携帯端末１０は、第２の多機能携帯端末１０が当該情報処理プログラムを搭載していない旨の応答を得た場合、例えば、第２の多機能携帯端末１０との間のデータＩ／Ｆ４０８を用いた通信を終了させる。
【０１３７】
一方、第１の多機能携帯端末１０は、第２の多機能携帯端末１０が当該情報処理プログラムを搭載している旨の応答を得た場合、第２の多機能携帯端末１０から、当該第２の多機能携帯端末１０を識別する識別情報を取得する。すなわち、第１の多機能携帯端末１０は、ここで取得した識別情報に識別される第２の多機能携帯端末１０との間でログ情報の共有が可能となる。第１の多機能携帯端末１０において、全体制御部１００は、ＧＵＩ部１０５を制御して、取得した識別情報のリストを表示部４０６に表示させる。
【０１３８】
図２４（ａ）は、このログ情報の共有が可能な第２の多機能携帯端末１０のリストを表示するための画面５５０の例を示す。画面５５０において、表示領域５５００に対して、ログ情報が共有可能な第２の多機能携帯端末１０の識別情報が一覧表示される。この表示領域５５００の表示に対して、ログ情報の共有を希望する第２の多機能携帯端末１０の識別情報を選択して、配信を示すボタン５５０２に対するタップ操作に応じて、表示部４０６の表示が画面５５０から、図２４（ｂ）に例示される、共有したいデータを選択する画面５５１に変更される。
【０１３９】
図２４（ｂ）の画面５５１において、表示領域５５１０は、第１の多機能携帯端末１０が保持する共有可能なデータが一覧表示される。画面５５１において、表示領域５５１０に一覧表示されるデータから相手（第２の多機能携帯端末１０）に対して共有させたいデータを選択して、公開を示すボタン５５１１をタップすることで、選択されたデータが第２の多機能携帯端末１０に送信され、ログ情報の共有が行われる。
【０１４０】
図２５（ａ）に例示される画面５５２は、ログ情報の共有を行う際の第２の多機能携帯端末１０の表示部４０６の表示例を示す。画面５５２において、表示領域５５２０は、ログ情報の共有相手（第１の多機能携帯端末１０）の識別情報が表示される。また、表示領域５５２１は、ログ情報の送信が開始されているか否かが示される。第２の多機能携帯端末１０においてデータの受信が開始されると、表示部４０６の表示が図２５（ｂ）の画面５５４の表示に変更され、表示領域５５４１に共有相手の識別情報が表示され、表示領域５５４２に対してデータの受信が現在進行中である旨が表示される。
【０１４１】
なお、共有対象のログ情報に対応するミーティングリストテーブルに、パスコードが「有り」を示すペーパーレス会議システムテーブルが関連付けられている場合、画面５５２の表示の直後に、パスコードを入力するための画面５５３（図８参照）が表示される。この画面５５３の詳細は、上述した画面５４１と同様なので、ここでの説明を省略する。画面５５３は、画面５５２の表示の直後に限らず、上述した画面５５１において共有させたいデータを選択した時点で表示させてもよい。
【０１４２】
第２の多機能携帯端末１０は、第１の多機能携帯端末１０から送信されたデータを、第２の多機能携帯端末１０が保持しているデータとマージする。例えば、第２の多機能携帯端末１０は、第１の多機能携帯端末１０から送信されたデータをデータ保持部１０９によりストレージ４０７に格納すると共に、当該データの属性情報を、テーブル保持部１０８に保持される、当該データに対応するテーブルのレコードに格納する。
【０１４３】
なお、画面５５１において、キャンセルを示すボタン５５１２に対するタップ操作に応じて、第２の多機能携帯端末１０との間でのログ情報の共有が中止される。
【０１４４】
上述では、第１の多機能携帯端末１０から第２の多機能携帯端末２０に対してデータを送信することで、第１の多機能携帯端末１０と第２の多機能携帯端末１０との間でログ情報の共有を行なっているが、これはこの例に限定されない。すなわち、第１の多機能形態端末１０が第２の多機能携帯端末１０から、共有するログ情報を送信されるようにもできる。
【０１４５】
削除ボタンであるボタン５００２が操作された場合の動作について説明する。ボタン５００２に対するタップ操作に応じて、全体制御部１００は、ＧＵＩ部１０５を制御して、図２６に例示されるログ情報の削除を行う画面５６０を表示部４０６に対して表示させる。
【０１４６】
図２６の画面５６０において、表示領域５６００に対してログ情報の削除を行うか否かの確認を促すメッセージを表示させると共に、削除ボタン５６０１およびキャンセルボタン５６０２を配する。削除ボタン５６０１に対するタップ操作に応じて、全体制御部１００は、現在記録中のログ情報を削除する。例えば、全体制御部１００は、削除ボタン５６０１に対するタップ操作に応じて、テーブル保持部１０８により作成されストレージ４０７に保持される、図４および図５に示したミーティングリストテーブルを含む各テーブルを、ストレージ４０７から削除する。
【０１４７】
このとき、全体制御部１００は、データ保持部１０９によりストレージ４０７に記憶された各データを削除せずに残しておくことができる。これに限らず、全体制御部１００は、データ保持部１０９によりストレージ４０７に記憶された各データを削除してもよい。
【０１４８】
画面５６０において、キャンセルボタン５６０２は、ログ情報の削除をキャンセルする。
【０１４９】
（ログ情報の閲覧）
次に、登録された履歴情報を閲覧する場合の動作について説明する。上述したように、表示部４０６において、履歴ボタンであるボタン５０２９に対するタップ操作に応じて、図２２に示した画面５４０が表示される。全体制御部１００は、画面５４０の表示領域５４００に表示されるイベント情報の一覧から所望のイベント情報が選択されると、選択されたイベント情報に対応するログ情報に関連付けられたミーティングリストテーブルをテーブル保持部１０８から取得する。さらに、全体制御部１００は、テーブル保持部１０８から、当該ミーティングリストテーブルに関連付けられた各テーブルを取得する。
【０１５０】
全体制御部１００は、テーブル保持部１０８から取得した、ミーティングリストテーブルを含む各テーブルに格納される情報に基づき、各テーブルに関連付けられてデータ保持部１０９に保持された第１コンテンツデータおよび第２コンテンツデータを取得する。そして、全体制御部１００は、取得された、各テーブルに格納される情報と、第１コンテンツデータおよび第２コンテンツデータとに基づき、ＧＵＩ部１０５を制御してログ情報閲覧画面を表示部４０６に表示させる。
【０１５１】
以下、図２７〜図３２を用いて、ログ情報閲覧画面について説明する。なお、図２７〜図３２に例示される各画面は、全体制御部１００と、全体制御部１００により制御される、図６に示したＧＵＩ部１０５の各部により表示制御がなされる。
【０１５２】
図２７を用いて、ログ情報閲覧画面の基本的な構成例について説明する。図２７（ａ）に例示するように、ログ情報閲覧画面６００は、上端部の表示領域は、上述した例えば画面５００Ａの第１表示領域に対応する。ログ情報閲覧画面６００においては、当該表示領域に対して、直前の画面である上述の画面５４０に戻るためのボタン６００１と、地図表示アプリケーションを呼び出すためのボタン６００２とが配される。また、当該表示領域は、ログ情報閲覧画面６００に現在表示されているログ情報を示す表示６００３が配される。
【０１５３】
ログ情報閲覧画面６００の下端部の表示領域は、上述した例えば画面５００Ａの第４表示領域に対応し、新規作成ボタンであるボタン５０２８と、履歴ボタンであるボタン５０２９と、情報ボタンであるボタン５０３０とが配される。
【０１５４】
ログ情報閲覧画面６００において、画面の大部分を占める中央の表示領域は、詳細ログ情報表示領域６０１であって、ログ情報に関連付けられる第１コンテンツおよび第２コンテンツが、時間軸に沿って配される。また、この詳細ログ情報表示領域６０１は、音声が録音された時間範囲を示す表示が時間軸に沿って配されると共に、音声の再生を制御する部品が、音声が録音された時刻に対応した時間軸上の位置に配される。
【０１５５】
詳細ログ情報表示領域６０１について、より詳細に説明する。この例では、詳細ログ情報表示領域６０１は、画面の上から下に向けて時間が経過するように、時間軸が定義される。これはこの例に限定されず、時間軸は、画面の下から上に向けて時間が経過するように定義してもよいし、画面の左右方向に時間が経過するように定義してもよい。
【０１５６】
詳細ログ情報表示領域６０１において、当該領域の縦方向の位置と、時間軸上の時刻とが対応付けられる。時間軸上の時刻の最小値は、図４に示すミーティングリストテーブルにおける開始時刻であり、最大値は、終了時刻である。ログ情報に関連付けられる各データは、各データに関連付けられる時刻情報に従い、時間軸上に並べられる。また、詳細ログ情報表示領域６０１において、当該領域の縦方向の表示長さと時間軸に示される時間長さとが対応付けられ、単位時間当たりの表示長さを変更することで、時間軸のスケールの拡大および縮小を行うことができる。
【０１５７】
より具体的には、詳細ログ情報表示領域６０１の表示に対してピンチイン操作を行うことで時間軸のスケールが縮小され、単位長さ当たりに表示される時間がより長くされる。また、詳細ログ情報表示領域６０１の表示に対してピンチアウト操作を行うことで時間軸のスケールが拡大され、単位長さ当たりに表示される時間がより短くされる。この場合、表示における時刻の分解能が高くなり、より細かい時間単位で各データを識別可能となる。
【０１５８】
詳細ログ情報表示領域６０１において、時間軸を示す時間バー６０１０が配される。時間バー６０１０は、仮想的な上端がミーティングリストテーブルにおける開始時刻に対応し、仮想的な下端が終了時刻に対応する。実際には、時間バー６０１０は、仮想的な上端から下端までの範囲のうち、詳細ログ情報表示領域６０１における時間軸のスケールに応じた範囲が切り取られて、詳細ログ情報表示領域６０１に表示される。
【０１５９】
時間バー６０１０上には、ログ情報に関連付けられる各データのうち、連続した時間情報を持つデータを示す表示が、当該データが取得された時刻に対応した位置に配される。連続した時間情報を持つデータとしては、例えば音声データが挙げられ、時間バー６０１０に対して、図５（ｅ）のサウンドテーブル内の開始時刻および終了時刻に対応する範囲が示される。図２７〜図３４の各図においては、音声データが存在する時間帯は、時間バー６０１０上に斜線を付して示している。
【０１６０】
詳細ログ情報表示領域６０１は、時間バー６０１０により互いに重複しない左右の表示領域に分割され、時間バー６０１０の左側の分割領域６０１１Ａと、右側の分割領域６０１１Ｂとが生成される。第１の実施形態では、これら分割領域６０１１Ａおよび６０１１Ｂのうち一方に、多機能携帯端末１０の内部で生成され、１の時刻で示される第１コンテンツを配し、他方に、外部の機器から取得した第２コンテンツを配する。ここでは、左側の分割領域６０１１Ａが第２コンテンツを配する第２コンテンツ表示領域であり、右側の分割領域６０１１Ｂが第１コンテンツを配する第１コンテンツ表示領域であるものとする。
【０１６１】
図２７（ａ）の例では、左側の分割領域６０１１Ａに対して、ペーパーレス会議システム２０から取得した画像に基づく縮小画像（サムネイル画像）が、当該画像が取得された時刻に対応する位置に第２コンテンツ６０１４として配されている。また、右側の分割領域６０１１Ｂに対して、多機能携帯端末１０が有する撮像部４１１で撮像されて得られた複数の画像それぞれの縮小画像が、これら複数の画像それぞれが取得された時刻に対応する位置に、第１コンテンツ６０１５1および６０１５2としてそれぞれ配されている。
【０１６２】
なお、第２コンテンツ６０１４は、対応する画像を表示させるページ操作情報が取得された時刻に対応する位置に表示されることになる。
【０１６３】
このように、第１コンテンツを表示する表示領域と、第２コンテンツを表示する表示領域とを明確に分離することで、ユーザが多機能携帯端末１０を用いて備忘録的に収集したデータと、会議などにおいて共有して用いられているデータとを容易に識別することができる。また、時間バー６０１０により左右に分割された分割領域６０１１Ａおよび６０１１Ｂは、互いに時間軸を共有することになり、これら分割領域６０１１Ａおよび６０１１Ｂに配された各データ間の関係性を容易に把握することが可能となる。
【０１６４】
なお、ここでは、分割領域６０１１Ａに対して、時間軸に対応する時刻を所定間隔で示す時刻情報６０１７が表示される。時刻情報６０１７は、分割領域６０１１Ｂに表示させてもよい。
【０１６５】
また、各第１コンテンツ６０１５1および６０１５2の左端上部に表示される三角表示６０１６は、その先端で以って対応するコンテンツの取得時刻を詳細に示すためのものである。図２７（ａ）の例では、例えば第１コンテンツ６０１５2に対して３の三角表示６０１６が表示されており、この第１コンテンツ６０１５2の表示に、当該第１コンテンツ６０１５2の取得時刻に近い時刻に取得された他の第１コンテンツが隠されていることが分かる。
【０１６６】
図２７（ａ）において、時間バー６０１０上に、音声データの再生を制御するための部品である再生コントローラ６０１２が配される。この例では、再生コントローラ６０１２は、中央部に、音声データに対して現在操作可能な制御を示すアイコンが表示される。図２７（ａ）は、音声データの再生中の例を示し、再生コントローラ６０１２は、再生を停止させることが可能である旨を示す表示（縦の短い２本のバー）が表示されている。一方、図２７（ｂ）は、音声データの再生が停止されている場合の例を示し、再生コントローラ６０１２は、再生を開始させることが可能である旨を示す表示（右向きの三角形）が表示されている。
【０１６７】
再生コントローラ６０１２は、音声データの再生に伴う時間の経過に応じて、時間バー６０１０上を移動する。再生コントローラ６０１０の左側には、再生コントローラ６０１２の位置に対応した時間軸上の時刻を示す、再生時刻情報６０１３が表示される。また、再生コントローラ６０１２に対して、時間軸に沿った方向でスワイプ操作またはフリック操作を行うことで、再生コントローラ６０１２の表示が時間バー６０１０上で上下に移動される。これにより、音声データを、所望の時刻から再生させることができる。
【０１６８】
なお、再生コントローラ６０１２は、時間バー６０１０上で音声データが存在しない時間帯の位置においても、音声データが再生されている場合と同様にして、時間の経過に応じて時間バー６０１０上を移動する。これにより、ユーザは、音声データが一部の時間帯で欠けている場合であっても、恰も音声データが連続して存在するかのように、音声データの再生を継続させることができる。
【０１６９】
図２８は、時間軸のスケールを拡大した例を示す。すなわち、ログ情報閲覧画面６００の詳細ログ情報表示領域６０１において上下方向にピンチアウト操作を行うことで、操作の幅に応じて時間軸のスケールが拡大される。すなわち、図２８（ａ）に示す状態において上下方向にピンチアウト操作を行うと、時間軸のスケールが拡大され、図２８（ｂ）に例示される状態となる。より具体的には、時刻情報６０１７の「午後１：１７」および「午後１：１８」の表示に注目すれば、図２８（ｂ）の状態は、図２８（ａ）の状態に対して時間軸のスケールが略３倍に拡大されていることが分かる。
【０１７０】
時間軸のスケールの拡大に伴い、互いに近接した時刻に取得された各データが分離されて表示されるようになる。例えば、図２８（ａ）において、第１コンテンツ６０１５11および６０１５12が重なって表示されている。また、これら第１コンテンツ６０１５11および６０１５12の左端に表示される三角表示により、さらにもう一つの第１コンテンツが隠れていることが分かる。
【０１７１】
これに対し、時間軸のスケールが拡大された図２８（ｂ）では、各第１コンテンツ６０１５11および６０１５12が分離して表示されていると共に、図２８（ａ）の例において隠れていた第１コンテンツ６０１５13がさらに分離して表示されている。
【０１７２】
また、図２８（ｂ）の例では、第１コンテンツ６０１５12が詳細ログ情報表示領域６０１から下方向すなわち時間の進行方向側にはみ出てしまっている。この場合、ログ情報閲覧画面６００の詳細ログ情報表示領域６０１において上方向にスワイプ操作またはフリック操作を行うことで、詳細ログ情報表示領域６０１内に表示される時間軸に示される時刻が時間の進行方向側にシフトされる。これにより、図２８（ｃ）に例示されるように、時間の進行方向側にはみ出ていた第１コンテンツ６０１５12の全体が、詳細ログ情報表示領域６０１内に表示される。
【０１７３】
なお、図２８（ｃ）の例では、図２８（ｂ）に示される画面に対してピンチイン操作が行われ、時間軸のスケールが縮小されている。
【０１７４】
図２８の状態において、各第１コンテンツ６０１５11〜６０１５13に対してタップ操作を行うことで、タップ操作された第１コンテンツの内容を表示させることができる。例えば、テキストデータによるメモデータである第１コンテンツ６０１５13に対してタップ操作を行った場合、当該テキストデータがログ情報閲覧画面６００上に表示される。また、画像データである第１コンテンツ６０１５12に対してタップ操作を行った場合、当該画像データが拡大されてログ情報閲覧画面６００上に表示される。
【０１７５】
時間バー６０１０は、時間バー６０１０に対する左右のスワイプ操作またはフリック操作に応じて、左右に移動させることができる。時間バー６０１０が左右に移動されることで、分割領域６０１１Ａの幅と、６０１１Ｂの幅との比率が変更される。図２９は、時間バー６０１０を右端側に移動させた場合の例を示す。この場合、分割領域６０１１Ａの領域が左右方向に拡がり、詳細ログ情報表示領域６０１は、略全体を分割領域６０１１Ａの表示が占めるようになる。
【０１７６】
例えば分割領域６０１１Ａにおいて、領域が所定以上に左右方向に拡がった場合に、時間軸を左右方向にさらに定義することができる。例えば、縦方向の時間軸（第１の時間軸とする）における所定の時間範囲を、左右方向に展開させた時間軸（第２の時間軸とする）を定義する。このようにすると、時刻情報が近接する複数の第２コンテンツを、左右方向にさらに展開することができる。
【０１７７】
すなわち、上述した図２７（ａ）の分割領域６０１１Ａに配される第２コンテンツ６０１４が、実際には時刻情報の近接した複数の第２コンテンツ６０１４1および６０１４2を含む場合、図２９（ａ）に例示されるように、分割領域６０１１Ａにおいて、これら複数の第２コンテンツ６０１４1および６０１４2がそれぞれの時刻情報に応じて左右方向に展開して配される。これにより、時刻情報の近接した複数のコンテンツの識別が容易となる。
【０１７８】
図２９（ａ）において、第２コンテンツ６０１４1および６０１４2の画像に対してタップ操作することで、これら第２コンテンツ６０１４1および６０１４2を拡大して表示させることができる。図２９（ａ）の第２コンテンツ６０１４1を拡大表示させた例を図２９（ｂ）に示す。また、図２９（ａ）の第２コンテンツ６０１４2を拡大表示させた例を図２９（ｃ）に示す。
【０１７９】
例えば図２９（ｂ）において、第２コンテンツ６０１４1が拡大された第２コンテンツ６０１４1’が分割領域６０１１Ａに表示されているのが分かる。またこのとき、再生コントローラ６０１２が、当該第２コンテンツ６０１４1に対応するページ操作情報を取得した時刻を示す位置に移動されると共に、当該時刻が再生時刻表示６０１３に表示される。
【０１８０】
図２９（ｃ）においても同様に、第２コンテンツ６０１４2が拡大された第２コンテンツ６０１４2’が分割領域６０１１Ａに表示される。それと共に、再生コントローラ６０１２および再生時刻表示６０１３が、当該第２コンテンツ６０１４2に対応するページ操作情報を取得した時刻に応じた表示とされる。
【０１８１】
なお、拡大された第２コンテンツ６０１４1’は、ペーパーレス会議システム２０から取得した画像から予め作成しておいてもよいし、第２コンテンツ６０１４1に対するタップ操作に応じて生成してもよい。
【０１８２】
図２９（ａ）を用いて説明した、時間軸を左右方向に展開した例において、さらに時間軸のスケールを上下方向に拡大した場合について、図３０を用いて説明する。例えば、互いに近接した時刻にページ操作情報が取得された第２コンテンツ６０１４1〜６０１４4が分割領域６０１１Ａに配される場合について考える。この場合、時間軸のスケールが小さいと、図３０（ａ）に例示されるように、時間軸がさらに左右方向に展開され、各第２コンテンツ６０１４1〜６０１４4の配置が、ページ操作情報の取得時間に応じて左右方向に展開される。
【０１８３】
図３０（ｂ）は、図３０（ａ）の状態に対して上下方向にピンチアウト操作を行い、時間軸のスケールを拡大した場合の例を示す。この場合、図３０（ｂ）に例示されるように、左右方向に展開されていた各第２コンテンツ６０１４1〜６０１４4が、縦方向の時間軸に従い並べ替えられる。図３０（ｂ）の例では、ページ操作情報の取得時刻が互いに近接している第２コンテンツ６０１４1〜６０１４3は、左右方向に展開されて配置されている。一方、第２コンテンツ６０１４1〜６０１４3と比較してページ操作情報の取得時刻が離れている第２コンテンツ６０１４4は、縦方向の時間軸に従い並べ替えられている。また、第２コンテンツ６０１４1は、縦方向の時間軸に従い並べ替えられた結果、詳細ログ情報表示領域６０１の上方側にはみ出してしまっている（図示しない）。
【０１８４】
時間バー６０１０を左右何れかに移動させた場合において、指定した時刻に対応する第１コンテンツまたは第２コンテンツの拡大表示または内容表示を自動的に行わせることができる。一例として、図３１に示される、時間バー６０１０を右端側に移動させた場合について説明する。時刻の指定は、再生コントローラ６０１２を用いて行うものとする。また、詳細ログ情報表示領域６０１に対して、図３０（ａ）に示した第１コンテンツ６０１４1〜６０１４4が配されているものとする。
【０１８５】
この場合、時間バー６０１０上で再生コントローラ６０１２に対するスワイプ操作を行うと、再生コントローラ６０１２の時間バー６０１０上での位置に応じた時刻に対応する第２コンテンツが拡大表示される。例えば、図３１（ａ）に示されるように、再生コントローラ６０１２が時間バー６０１０上で時刻「１時２１分４７秒」の位置にあるとき、当該時刻に対応する第１コンテンツ６０１４1が拡大され、拡大された第１コンテンツ６０１４1’が表示される。
【０１８６】
さらに再生コントローラ６０１２を移動させ、図３１（ｂ）に例示されるように、再生コントローラ６０１２が時間バー６０１０上で時刻「１時２５分２４秒」の位置に来ると、当該時刻に対応した第１コンテンツ６０１４3が拡大され、拡大された第１コンテンツ６０１４3’が表示される。一方、第１コンテンツ６０１４1’は、再生コントローラ６０１２が位置する時刻が対応しなくなったので、元の縮小された第１コンテンツ６０１４1に戻される。なお、縮小された第１コンテンツ６０１４1は、図３１（ｂ）においては拡大された第１コンテンツ６０１４3に隠されており、図示されていない。
【０１８７】
ログ閲覧画面６００において、地図画像を表示させることができる。例えば、ログ情報が図５（ｂ）のＧＰＳトレーステーブルを含む場合、全体制御部１００は、時間バー６０１０上で指定した時刻に対応する緯度および経度情報に従い、地図表示アプリケーションを呼び出して地図表示を行う。また、図５（ｄ）のキャプチャテーブルまたは図５（ｆ）のメモテーブルが緯度および軽度情報を含む場合、全体制御部１００は、当該緯度および経度情報に従い、地図表示アプリケーションを呼び出して地図表示を行う。
【０１８８】
図３２を用いて、地図画像の表示についてより具体的に説明する。一例として、図３２（ａ）に示す、メモデータである第１コンテンツ６０１５2が緯度および経度情報を持っているものとする。例えば、第１コンテンツ６０１５2に対するタップ操作や、再生コントローラ６０１２を第１コンテンツ６０１５2に関連付けられた時刻に対応する位置に移動させることで、当該第１コンテンツ６０１５2が選択される。
【０１８９】
第１コンテンツ６０１５2が選択された状態で、ボタン６００２に対してタップ操作が行われると、全体制御部１００は、多機能携帯端末１０に搭載される地図表示アプリケーションを呼び出す。このとき、全体制御部１００は、テーブル保持部１０８に保持されるメモテーブルを参照して、当該第１コンテンツ６０１５2に関連付けられた緯度および経度情報を取得し、パラメータとして地図表示アプリケーションに渡す。
【０１９０】
図３２（ｂ）は、地図表示アプリケーションにより、第１コンテンツ６０１５2に対応する地図表示が行われた例を示す。詳細ログ情報表示領域６０１内の表示領域６０２０に、当該第１コンテンツ６０１５2に関連付けられた緯度および経度情報に示される緯度および経度を含む地図画像が表示される。地図画像において、アイコン６０２１により当該緯度および経度に対応する場所が示される。また、アイコン６０２１に対応して、第１コンテンツ６０１５2の属性情報（この例では、タイトルおよび取得時刻）が表示される。
【０１９１】
このように、ログ情報に基づき地図画像を表示させることで、ユーザは、コンテンツが取得された状況を容易に想起することが可能となる。
【０１９２】
（第２の実施形態）
次に、第２の実施形態について説明する。図３３は、第２の実施形態に係る情報処理システムの一例の構成を概略的に示す。第２の実施形態に係る情報処理システムは、多機能携帯端末１０およびペーパーレス会議システム２０’を含んで構成される。ペーパーレス会議システム２０’は、会議システムサーバ３０を有し、会議Ａに参加する１以上のペーパーレス会議システム端末２１Ｃおよび２１Ｄは、画像データおよび画像データに対する操作情報を、会議システムサーバ３０を介して共有するようになっている。
【０１９３】
すなわち、会議システムサーバ３０は、ペーパーレス会議システム端末２１Ｃおよび２１Ｄ間で共有するための画像データを予め保持する。当該画像データは、会議Ａに参加するペーパーレス会議システム端末２１Ｃおよび２１Ｄのうち少なくとも一方から会議システムサーバ３０に送信して、会議システムサーバ３０に格納させるようにしてもよい。
【０１９４】
ペーパーレス会議システム２０’において、各ペーパーレス会議システム端末２１Ｃおよび２１Ｄは、会議Ａの開始に伴い、ペーパーレス会議システム端末２１Ｃおよび２１Ｄ間で共有する画像データを会議システムサーバ３０から取得する。例えば、ペーパーレス会議システム端末２１Ｃは、ユーザによりページ操作がなされると、ページ操作に応じて自身が表示する画像のページを変更すると共に、当該ページ操作を示すページ操作情報を会議システムサーバ３０を介してペーパーレス会議システム端末２１Ｄに送信する。ペーパーレス会議システム端末２１Ｄは、会議システムサーバ３０から送信されたページ操作情報に応じて、自身が表示する画像のページを変更する。
【０１９５】
多機能携帯端末１０は、ペーパーレス会議システム２０’と連携する場合、会議システムサーバ３０との間で所定の認証処理などを行い、認証が成功した場合に、会議システムサーバ３０から、ペーパーレス会議システム端末２１Ｃおよび２１Ｄ間で共有される画像データを取得する。そして、例えばペーパーレス会議システム端末２１Ｃからページ操作情報が送信された場合、会議システムサーバ３０は、多機能携帯端末１０に対して当該ページ操作情報を送信する。これにより、多機能携帯端末１０は、ペーパーレス会議システム２０’との間で画像データとページ操作情報とを共有することができる。そして、多機能携帯端末１０は、ペーパーレス会議システム２０’から取得した操作情報を、取得した時刻を示す時刻情報と関連付けて、ログ情報に含めて登録することができる。
【０１９６】
このように、第２の実施形態によれば、本発明の情報処理システムは、サーバを介して画像データおよび操作情報を共有するペーパーレス会議システムにも適用可能である。
【０１９７】
なお、第２の実施形態において、多機能携帯端末１０は、ペーパーレス会議システム２０’との連携以外の機能については上述の第１の実施形態と何ら変わることころが無いため、ここでの説明を省略する。また、第２の実施形態に係る多機能携帯端末１０は、図３３に会議Ｂとして示す、第１の実施形態で説明したサーバを介さないペーパーレス会議システム２０との連携も、同様に可能である。
【０１９８】
（第３の実施形態）
次に、第３の実施形態について説明する。図３４は、第３の実施形態に係る情報処理システムの一例の構成を概略的に示す。図３４において、第３の実施形態に係る情報処理システムは、１以上の多機能携帯端末１０Ａおよび１０Ｂと、カレンダサーバ４０と、ログサーバ５０とを含む。カレンダサーバ４０は、ユーザ毎のイベント情報などを管理するカレンダサービスを提供する。カレンダサーバ４０は、例えば、ネットワーク上で不特定多数のユーザに対してカレンダサービスを提供する。これに限らず、カレンダサーバ４０は、第３の実施形態に係る情報処理システムに固有のカレンダサーバでもよい。
【０１９９】
上述した第１の実施形態および第２の実施形態では、多機能携帯端末１０は、取得したログ情報を、自身に搭載される、ローカルカレンダに登録していた。これに対して、第３の実施形態では、多機能携帯端末１０Ａおよび１０Ｂで取得したログ情報を、カレンダサーバ４０が提供するカレンダサービスを利用して、当該カレンダサーバ４０に登録する。
【０２００】
また、ログ情報の本体、すなわち、上述した第１の実施形態においてテーブル保持部１０８に保持される、図４および図５で示した各テーブルと、データ保持部１０９に保持される画像データやテキストデータ、音声データなどの各データとを、ログサーバ５０に格納する。図３４では、これらログ情報の本体をデータ本体５１として纏めて示している。
【０２０１】
カレンダサーバ４０には、ログサーバ５０に格納されたデータ本体５１のネットワーク上での位置を示す情報、例えばＵＲＬ(Uniform  Resource  Locator)４１が、ログ情報として登録される。
【０２０２】
すなわち、図２１を参照すると、例えば多機能携帯端末１０Ａにおいて、チェックインを指定するボタン５００１に対するタップ操作に応じて、画面５３０が表示される。この画面５３０において、表示領域５３０１に配されるボタン５３０２が操作された場合に、チェックイン先として、ローカルカレンダに加え、カレンダサーバ４０によるカレンダサービスが選択可能とされる。カレンダサービスを選択すると、当該カレンダサービスが認証処理を必要としている場合、表示部４０６に対して、ユーザＩＤやパスワードなどを入力するための入力画面が表示される。
【０２０３】
なお、ログサーバ５０においても、認証処理を行い任意のユーザからのアクセスに対して制限を掛ける。ここでは、このユーザＩＤおよびパスワードが、カレンダサーバ４０およびログサーバ５０で共通に使用できるものとして説明を行う。
【０２０４】
ユーザＩＤおよびパスワードの入力が完了し、入力されたユーザＩＤおよびパスワードが多機能携帯端末１０Ａからカレンダサーバ４０に送信される。カレンダサーバ４０は、送信されたユーザＩＤおよびパスワードに基づき認証処理を行い、認証が成功すると、その旨を多機能携帯端末１０Ａに通知する。また、ログサーバ５０においても、同様にして認証処理が行われ、認証が成功した場合にその旨を多機能携帯端末１０Ａに通知する。
【０２０５】
多機能携帯端末１０Ａは、ログサーバ５０の認証成功の通知に応じて、ログサーバに対してログ情報の本体を送信する。このログ情報の本体は、所定のＵＲＬを割り当てられて、データ本体５１としてログサーバ５０に格納される。さらに、多機能携帯端末１０Ａは、カレンダサーバ４０からの認証成功の通知に応じて、カレンダサーバ４０に対して、ログ情報を送信する。この場合、多機能携帯端末１０Ａは、テーブル保持部１０８により保持されたミーティングリストテーブルを参照し、例えばミーティングＩＤと、上述のログ情報の本体に割り当てられたＵＲＬ４１とを関連付けて、１のイベントとしてカレンダサーバ４０に送信する。
【０２０６】
多機能携帯端末１０Ａからログ情報を閲覧する場合には、先ず、第１の実施形態と同様にして、履歴ボタンであるボタン５０２９に対してタップ操作を行う。多機能携帯端末１０Ａは、このタップ操作に応じてカレンダサーバ４０によるカレンダサービスにアクセスし、ユーザＩＤやパスワードを送信して認証成功された後、登録済みのイベントを取得する。多機能携帯端末１０Ａは、さらに、ローカルカレンダに登録済みのイベントを共に取得してもよい。
【０２０７】
多機能携帯端末１０Ａは、カレンダサービスやローカルカレンダから取得したイベント情報が一覧表示された画面５４０を表示部４０６に表示させる（図２２参照）。多機能携帯端末１０Ａは、この一覧表示からカレンダサービスから取得したイベント情報が選択されると、カレンダサーバ４０から、選択されたイベント情報に登録されるＵＲＬを取得する。そして、取得したＵＲＬに従いログサーバ５０にアクセスし、データ本体５１を取得し、データ本体５１に含まれる情報に基づきログ情報閲覧画面６００を表示部４０６に表示させる。
【０２０８】
この第３の実施形態によれば、多機能携帯端末１０Ａと、他の多機能携帯端末１０Ｂとの間で、ログ情報を容易に共有することができる。すなわち、多機能携帯端末１０Ａにより登録されたログ情報に関し、カレンダサーバ４０およびログサーバ５０にアクセスする際に用いるユーザＩＤやパスワードを、多機能携帯端末１０Ａと他の多機能携帯端末１０Ｂ（多機能携帯端末１０ＡのユーザＡと他の多機能携帯端末１０ＢのユーザＢ）との間で予め共有しておく。これにより、ユーザＢは、多機能携帯端末１０Ｂを用いてカレンダサーバ４０にアクセスしてＵＲＬ４１を取得し、取得したＵＲＬを用いてログサーバ５０に格納される、ユーザＡにより作成されたデータ本体５１を取得することができる。
【０２０９】
ユーザＢは、ユーザＡが作成したログ情報を、ユーザＡの多機能携帯端末１０Ａとの通信を行わずに取得でき、ユーザＡとユーザＢとの間で、ログ情報を容易に共有することができる。
【０２１０】
なお、上述の実施形態は、本発明の好適な実施の例ではあるがこれに限定されるものではなく、本発明の要旨を逸脱しない範囲において種々の変形による実施が可能である。
【符号の説明】
【０２１１】
１０，１０Ａ，１０Ｂ  多機能携帯端末
１１  タッチパネル
２０，２０’  ペーパーレス会議システム
２１Ａ，２１Ｂ，２１Ｃ，２１Ｄ  ペーパーレス会議システム端末
３０  会議システムサーバ
４０  カレンダサーバ
５０  ログサーバ
１００  全体制御部
１０１  音声取得部
１０２  第１コンテンツ取得部
１０３  第２コンテンツ取得部
１０４  音声再生制御部
１０５  ＧＵＩ部
１０６  イベント登録部
１０７  ＧＰＳ取得部
１０８  テーブル保持部
１０９  データ保持部
４０２  ＣＰＵ
４０６  表示部
４０７  ストレージ
４０８  データＩ／Ｆ
４０９  入力部
４１１  撮像部
４１２  録音部
４１５  ＧＰＳ受信部
５００Ａ  第１初期画面
５００Ｂ  第２初期画面
【先行技術文献】
【特許文献】
【０２１２】
【特許文献１】特開２００８−１７２５８２号公報
【特許文献２】特開２００６−１４６４１５号公報
【図１】
2014219807.tif 000003
【図２】
2014219807.tif 000004
【図３】
2014219807.tif 000005
【図４】
2014219807.tif 000006
【図５】
2014219807.tif 000007
【図６】
2014219807.tif 000008
【図７】
2014219807.tif 000009
【図８】
2014219807.tif 000010
【図９】
2014219807.tif 000011
【図１０】
2014219807.tif 000012
【図１１】
2014219807.tif 000013
【図１２】
2014219807.tif 000014
【図１３】
2014219807.tif 000015
【図１４】
2014219807.tif 000016
【図１５】
2014219807.tif 000017
【図１６】
2014219807.tif 000018
【図１７】
2014219807.tif 000019
【図１８】
2014219807.tif 000020
【図１９】
2014219807.tif 000021
【図２０】
2014219807.tif 000022
【図２１】
2014219807.tif 000023
【図２２】
2014219807.tif 000024
【図２３】
2014219807.tif 000025
【図２４】
2014219807.tif 000026
【図２５】
2014219807.tif 000027
【図２６】
2014219807.tif 000028
【図２７】
2014219807.tif 000029
【図２８】
2014219807.tif 000030
【図２９】
2014219807.tif 000031
【図３０】
2014219807.tif 000032
【図３１】
2014219807.tif 000033
【図３２】
2014219807.tif 000034
【図３３】
2014219807.tif 000035
【図３４】
2014219807.tif 000036